(57)【要約】  水分検出用ＲＦＩＤタグ付き衛生用品は、吸水材と、吸水材と隣接して設けられた水分検出用ＲＦＩＤタグと、水分検出用ＲＦＩＤタグと接続され、水分検出用ＲＦＩＤタグの出力を中継して通信可能範囲を拡張する中継アンテナと、を備え、水分検出用ＲＦＩＤタグは、ＲＦＩＣ素子と、ＲＦＩＣ素子に接続されたアンテナ素子と、を含み、水分検出用ＲＦＩＤタグは、前記吸水材に含まれる水分量の変化に起因する通信距離または信号強度の変化を出力するように構成されている。
2017094794.tif 000002
【特許請求の範囲】
【請求項１】
吸水材と、
前記吸水材と隣接して設けられた水分検出用ＲＦＩＤタグと、
前記水分検出用ＲＦＩＤタグと接続され、前記水分検出用ＲＦＩＤタグの出力を中継して通信可能範囲を拡張する中継アンテナと、
を備え、
前記水分検出用ＲＦＩＤタグは、
ＲＦＩＣ素子と、
前記ＲＦＩＣ素子に接続されたアンテナ素子と、
を含み、
前記水分検出用ＲＦＩＤタグは、前記吸水材に含まれる水分量の変化に起因する通信距離または信号強度の変化を出力するように構成されている、水分検出用ＲＦＩＤタグ付き衛生用品。
【請求項２】
前記中継アンテナは、前記水分検出用ＲＦＩＤタグの前記アンテナ素子と容量結合している、請求項１に記載の水分検出用ＲＦＩＤタグ付き衛生用品。
【請求項３】
前記吸水材を有するインナーと、前記インナーを覆うアウターと、を含む、請求項１に記載の水分検出用ＲＦＩＤタグ付き衛生用品。
【請求項４】
前記アウターは、パンツ型形状を有するパンツ型アウターである、請求項３に記載の水分検出用ＲＦＩＤタグ付き衛生用品。
【請求項５】
前記水分検出用ＲＦＩＤタグは、前記アウターの内側に配置され、前記中継アンテナは、前記水分検出用ＲＦＩＤタグのアンテナ素子と前記アウターを挟んで対向する前記アウターの外側に配置され、前記水分検出用ＲＦＩＤタグの前記アンテナ素子と容量結合している、請求項３又は４に記載の水分検出用ＲＦＩＤタグ付き衛生用品。
【請求項６】
前記水分検出用ＲＦＩＤタグと、前記水分検出用ＲＦＩＤタグと接続された前記中継アンテナと、を複数組有する、請求項１から５のいずれか一項に記載の水分検出用ＲＦＩＤタグ付き衛生用品。
【請求項７】
前記衛生用品は、おむつである、請求項１から６のいずれか一項に記載の水分検出用ＲＦＩＤタグ付き衛生用品。
【請求項８】
前記水分検出用ＲＦＩＤタグは、前記おむつの股下部に配置されていると共に、
前記中継アンテナは、前記おむつの股下部から前面部および／または背面部まで延在している、請求項７に記載の水分検出用ＲＦＩＤタグ付き衛生用品。
【請求項９】
前記水分検出用ＲＦＩＤタグは、前記おむつの背面部に配置されていると共に、
前記中継アンテナは、前記おむつの背面部から前面部まで延在している、請求項７又は８に記載の水分検出用ＲＦＩＤタグ付き衛生用品。
【請求項１０】
前記中継アンテナは、前記おむつの前記背面部から股下部を介して前記前面部まで延在している、請求項９に記載の水分検出用ＲＦＩＤタグ付き衛生用品。
【請求項１１】
帯状の支持体と、
前記支持体に設けられ、衛生用品の内面側に配置された水分検出用ＲＦＩＤタグのアンテナ素子と前記衛生用品の一部を介して対向配置されて前記水分検出用ＲＦＩＤタグの前記アンテナ素子と容量結合され、前記水分検出用ＲＦＩＤタグの出力を中継して通信可能範囲を拡張する中継アンテナと、
を備えた、水分検出用ＲＦＩＤタグ付き衛生用品用中継アンテナユニット。
【請求項１２】
帯状の支持体と、
前記支持体に設けられた水分検出用ＲＦＩＤタグと、
前記水分検出用ＲＦＩＤタグのアンテナ素子と容量結合され、前記水分検出用ＲＦＩＤタグの出力を中継して通信可能範囲を拡張する中継アンテナと、
を備えた、水分検出用ＲＦＩＤタグユニット。
【請求項１３】
吸水材を有するインナーと、前記インナーを覆うアウターと、を含む衛生用品と、
前記衛生用品に配置され、前記前記吸水材に含まれる水分量の変化に起因する通信距離または信号強度の変化を出力するように構成されている水分検出用ＲＦＩＤタグユニットと、
を備え、
前記水分検出用ＲＦＩＤタグユニットは、
帯状の支持体と、
前記支持体に設けられた水分検出用ＲＦＩＤタグと、
前記水分検出用ＲＦＩＤタグのアンテナ素子と容量結合され、前記水分検出用ＲＦＩＤタグの出力を中継して通信可能範囲を拡張する中継アンテナと、
を含む、水分検出用ＲＦＩＤタグ付き衛生用品。
【請求項１４】
前記アウターは、パンツ型形状を有するパンツ型アウターである、請求項１３に記載の水分検出用ＲＦＩＤタグ付き衛生用品。
【請求項１５】
前記水分検出用ＲＦＩＤタグユニットは、前記インナーの外側に配置されている、請求項１３又は１４に記載の水分検出用ＲＦＩＤタグ付き衛生用品。
【請求項１６】
前記水分検出用ＲＦＩＤタグユニットは、前記アウターの内側に配置されている、請求項１３又は１４に記載の水分検出用ＲＦＩＤタグ付き衛生用品。
【請求項１７】
前記水分検出用ＲＦＩＤタグユニットは、前記アウターの外側に配置されている、請求項１３又は１４に記載の水分検出用ＲＦＩＤタグ付き衛生用品。
【請求項１８】
前記水分検出用ＲＦＩＤタグユニットの前記中継アンテナと接続された他の中継アンテナをさらに備えた、請求項１３から１７のいずれか一項に記載の水分検出用ＲＦＩＤタグ付き衛生用品。
【請求項１９】
前記水分検出用ＲＦＩＤタグユニットは、複数配置されている、請求項１３から１８のいずれか一項に記載の水分検出用ＲＦＩＤタグ付き衛生用品。
【発明の詳細な説明】
【技術分野】
【０００１】
本発明は、水分の存在を検出できる水分検出用ＲＦＩＤタグ付き衛生用品に関する。
【背景技術】
【０００２】
衛生用品、例えば、おむつ内にＲＦＩＤタグを挿入し、外部からハンディタイプのリーダで読み取って、排泄（尿／便）を主に水分検出によって検出する排泄検知システムが提案されている（例えば、特許文献１参照。）。
【先行技術文献】
【特許文献】
【０００３】
【特許文献１】特表２０１３−５３４８３９号公報
【発明の概要】
【発明が解決しようとする課題】
【０００４】
上記システムでは、具体的なＲＦＩＤタグのおむつへの取り付け位置や、ＲＦＩＤタグとリーダとの位置合わせの方法については明記されていない。しかし、実際の使用時には、ＲＦＩＤタグのおむつへの取り付け位置やＲＦＩＤタグとリーダとの位置関係によっては、感度のよい水分検出ができない。【０００５】
本発明の目的は、感度良く水分を検出できる水分検出用ＲＦＩＤタグ付き衛生用品を提供することである。
【課題を解決するための手段】
【０００６】
本発明に係る水分検出用ＲＦＩＤタグ付き衛生用品は、吸水材と、
前記吸水材と隣接して設けられた水分検出用ＲＦＩＤタグと、
前記水分検出用ＲＦＩＤタグと接続され、前記水分検出用ＲＦＩＤタグの出力を中継して通信可能範囲を拡張する中継アンテナと、
を備え、
前記水分検出用ＲＦＩＤタグは、
ＲＦＩＣ素子と、
前記ＲＦＩＣ素子に接続されたアンテナ素子と、
を含み、
前記水分検出用ＲＦＩＤタグは、前記吸水材に含まれる水分量の変化に起因する通信距離または信号強度の変化を出力するように構成されている。
【発明の効果】
【０００７】
本発明に係る水分検出用ＲＦＩＤタグ付き衛生用品によれば、中継アンテナによって拡張された通信可能範囲で感度良く水分を検出できる。
【図面の簡単な説明】
【０００８】
【図１】実施の形態１に係る水分検出用ＲＦＩＤタグ付きおむつの構成を示すおむつの展開図である。
【図２】図１の水分検出用ＲＦＩＤタグ付きおむつを人体に装着した場合の構成を示す概略斜視図である。
【図３】（ａ）は、実施の形態１に係る水分検出用ＲＦＩＤタグ付きおむつに用いる水分検出用ＲＦＩＤタグの側断面図であり、（ｂ）は、（ａ）の底面図である。
【図４】（ａ）は、図３（ａ）の水分検出用ＲＦＩＤタグに用いるＲＦＩＣ素子の断面構造を示す概略断面図であり、（ｂ）は、（ａ）の等価回路図である。
【図５】図３（ａ）の水分検出用ＲＦＩＤタグの全体としての等価回路図である。
【図６】図３（ａ）の水分検出用ＲＦＩＤタグのコンデンサ素子を設ける前（Ａ）と、コンデンサ素子を設けた後（Ｂ）と、吸水材に水分を吸収した後（Ｃ）と、の周波数と伝送出力との関係の一例を示すグラフである。
【図７】（ａ）は、実施の形態１に係る水分検出用ＲＦＩＤタグ付きおむつに用いる水分検出用ＲＦＩＤタグの別例の上面図であり、（ｂ）は、（ａ）の断面構成を示す側断面図であり、（ｃ）は、（ａ）の等価回路図である。
【図８】図７（ａ）の水分検出用ＲＦＩＤタグのアンテナ素子のミアンダ形状の対向部分に水分が含まれた場合の容量結合を示す概略図である。
【図９】（ａ）は、実施の形態１に係る水分検出用ＲＦＩＤタグ付きおむつ３０に用いる水分検出用ＲＦＩＤタグ１０ｂのさらに別例の構成を示す平面図であり、（ｂ）は、（ａ）のＢ−Ｂ方向から見た断面図である。
【図１０】（ａ）は、実施の形態１に係る水分検出用ＲＦＩＤタグ付きおむつに用いる中継アンテナと水分検出用ＲＦＩＤタグとの接続の一例を示す図であり、（ｂ）は中継アンテナに複数の水分検出用ＲＦＩＤタグを接続する一例を示す図である。
【図１１】（ａ）は、水分検出用ＲＦＩＤタグ単体の近傍でリーダによる通信を行う場合（Ａ）と、おむつの股下部と前面部との距離に相当する距離でリーダによる通信を行う場合（Ｂ）とを示し、（ｂ）は、おむつの股下部に挿入した単体の水分検出用ＲＦＩＤタグの近傍でリーダによる通信を行う場合（Ｃ）と、おむつの前面部でリーダによる通信を行う場合（Ｄ）とを示し、（ｃ）は、実施の形態１に係る水分検出用ＲＦＩＤタグ付きおむつの股下部に挿入した水分検出用ＲＦＩＤタグの近傍でリーダによる通信を行う場合（Ｅ）と、おむつの前面部でリーダによる通信を行う場合（Ｆ）とを示す、概略斜視図である。
【図１２】図１１の各場合（Ａ〜Ｆ）の水分検出用ＲＦＩＤタグとの通信における周波数と伝送出力との関係を示すグラフである。
【図１３】（ａ）は、水分検出用ＲＦＩＤタグ付きおむつにおける中継アンテナと水分検出用ＲＦＩＤタグのアンテナとの交差位置の例を示す概略図であり、（ｂ）は、（ａ）の両アンテナの各配置例の水分検出用ＲＦＩＤタグとの通信における周波数と伝送出力との関係を示すグラフである。
【図１４】（ａ）は、水分検出用ＲＦＩＤタグ付きおむつにおける水分検出用ＲＦＩＤタグからの中継アンテナの突き出し量の一例を示す概略図であり、（ｂ）は、水分検出用ＲＦＩＤタグからの中継アンテナの突き出し量の別例を示す概略図であり、（ｃ）は、（ａ）及び（ｂ）の水分検出用ＲＦＩＤタグからの中継アンテナの各突き出し量の一例と別例の水分検出用ＲＦＩＤタグとの通信における周波数と伝送出力との関係を示すグラフである。
【図１５】（ａ）は、水分検出用ＲＦＩＤタグ付きおむつにおける中継アンテナの水分検出用ＲＦＩＤタグとの配置の一例を示す概略図であり、（ｂ）は、（ａ）より中継アンテナの幅を広くした場合の中継アンテナの水分検出用ＲＦＩＤタグとの配置の一例を示す概略図であり、（ｃ）は、（ａ）及び（ｂ）の各配置例の水分検出用ＲＦＩＤタグとの通信における周波数と伝送出力との関係を示すグラフである。
【図１６】実施の形態１に係る水分検出用ＲＦＩＤタグ付きおむつを用いたおむつ交換方法のフローチャートである。
【図１７】実施の形態２に係る水分検出用ＲＦＩＤタグ付きおむつの構成を示すおむつの展開図である。
【図１８】図１７の水分検出用ＲＦＩＤタグ付きおむつを人体に装着した場合の構成を示す概略斜視図である。
【図１９】（ａ）は、実施の形態２に係る水分検出用ＲＦＩＤタグ付きおむつに用いる中継アンテナユニットの構成を示す概略図であり、（ｂ）は、（ａ）の中継アンテナユニットにおける中継アンテナと水分検出用ＲＦＩＤタグとの接続箇所を示す拡大図である。
【図２０】（ａ）は、実施の形態３に係る水分検出用ＲＦＩＤタグユニットの構成を示す上面図であり、（ｂ）は、（ａ）の底面図であり、（ｃ）は、（ａ）の水分検出用ＲＦＩＤタグユニットにおける中継アンテナと水分検出用ＲＦＩＤタグとの接続箇所を示す拡大図である。
【図２１】（ａ）は、図２０（ａ）の水分検出用ＲＦＩＤタグユニットの断面構造を示す断面図であり、（ｂ）は、（ａ）の水分検出用ＲＦＩＤタグユニットをおむつの外面側に装着した状態を示す概略断面図である。
【図２２】実施の形態５に係る水分検出用ＲＦＩＤタグ付きおむつの構成を示すおむつの展開図である。
【図２３】（ａ）は、実施の形態６に係る水分検出用ＲＦＩＤタグ付きおむつ中継システムにおけるベッドに設けた中継アンテナの構成を示す概略斜視図であり、（ｂ）は、ベッドに水分検出用ＲＦＩＤタグ付きおむつを装着した人体が横たわっている状態を示す側面図であり、（ｃ）は、（ｂ）のＲＦＩＤタグと中継アンテナとの接続箇所を示す概略断面図である。
【図２４】（ａ）は、実施の形態７に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図２５】（ａ）は、実施の形態８に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図２６】（ａ）は、実施の形態９に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図２７】（ａ）は、実施の形態１０に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図２８】（ａ）は、実施の形態１０に係る水分検出用ＲＦＩＤタグユニットの表側の構成を示す平面図であり、（ｂ）は、（ａ）の裏側の構成を示す平面図である。
【図２９】（ａ）は、実施の形態１１に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図３０】（ａ）は、実施の形態１２に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図３１】（ａ）は、実施の形態１３に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図３２】（ａ）は、実施の形態１３の変形例に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図３３】（ａ）は、実施の形態１３のさらに他の変形例に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図３４】（ａ）は、実施の形態１４に係る水分検出用ＲＦＩＤタグ付きおむつを構成するインナーの外側を示す概略図であり、（ｂ）は、パンツ型アウターの外側を示す概略図であり、（ｃ）は、インナーの内側を示す概略図である。
【図３５】（ａ）は、実施の形態１４の変形例に係る水分検出用ＲＦＩＤタグ付きおむつを構成するインナーの外側を示す概略図であり、（ｂ）は、パンツ型アウターの外側を示す概略図であり、（ｃ）は、インナーの内側を示す概略図である。
【図３６】実施の形態１４の変形例に係る水分検出用ＲＦＩＤタグ付きおむつにおいて、読み取りにＲＦＩＤリーダ及び無線伝達ユニットを用いる場合を示す概略図である。
【図３７】（ａ）は、実施の形態１５に係る水分検出用ＲＦＩＤタグ付きおむつを構成するインナーの外側を示す概略図であり、（ｂ）は、パンツ型アウターの外側を示す概略図であり、（ｃ）は、インナーの内側を示す概略図である。
【図３８】実施の形態１５に係る水分検出用ＲＦＩＤタグ付きおむつにおいて、読み取りにＲＦＩＤリーダ及び無線伝達ユニット４６を用いる場合を示す概略図である。
【図３９】（ａ）は、実施の形態１６に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図４０】実施の形態１６に係る水分検出用ＲＦＩＤタグ付きおむつにおいて、読み取りにＲＦＩＤリーダ及び無線伝達ユニット４６を用いる場合を示す概略図である。
【図４１】（ａ）は、実施の形態１７に係る水分検出用ＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図４２】実施の形態１８に係るＲＦＩＤタグ付きおむつの断面構成を示す概略断面図である。
【図４３】（ａ）は、実施の形態１８に係るＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図４４】（ａ）は、実施の形態１８の別例に係るＲＦＩＤタグ付きおむつを構成するインナーの外側を示す概略図であり、（ｂ）は、アウターの外側を示す概略図であり、（ｃ）は、インナーの内側を示す概略図であり、（ｄ）は、アウターの内側を示す概略図である。
【図４５】（ａ）は、実施の形態１８に係るＲＦＩＤタグ付きおむつの乾燥状態でのリーダとの通信における伝送信号の経路を示す概略断面図であり、（ｂ）は、ＲＦＩＤタグ及び中継アンテナによって構成される回路図である。
【図４６】（ａ）は、実施の形態１８に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図４７】（ａ）は、参考例１に係るＲＦＩＤタグ付きおむつの吸水状態でのリーダとの通信における伝送信号の経路を示す概略断面図であり、（ｂ）は、水分、ＲＦＩＤタグ及び中継アンテナによって構成される回路図である。
【図４８】（ａ）は、参考例２に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図４９】（ａ）は、参考例３に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図５０】（ａ）は、実施の形態１９に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図５１】（ａ）は、実施の形態２０に係るＲＦＩＤタグ付きおむつの吸水状態でのリーダとの通信における伝送信号の経路を示す概略断面図であり、（ｂ）は、水分、ＲＦＩＤタグ及び中継アンテナによって構成される回路図である。
【図５２】（ａ）は、実施の形態２１に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図５３】（ａ）は、実施の形態２２に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図５４】（ａ）は、参考例４に係るＲＦＩＤタグ付きおむつの吸水状態でのリーダとの通信における伝送信号の経路を示す概略断面図であり、（ｂ）は、人体、水分、ＲＦＩＤタグ及び中継アンテナによって構成される回路図である。
【図５５】ＲＦＩＤタグと中継アンテナとの容量結合の箇所又はＲＦＩＤタグのスリット部分に対応する箇所に存在する水分の影響について説明するための周波数と伝送出力との関係の一例を示すグラフである。
【図５６】中継アンテナの中間部分に対応する箇所に存在する水分の影響について説明するための周波数と伝送出力との関係の一例を示すグラフである。
【図５７】ＲＦＩＤタグの２つのアンテナ素子のそれぞれに対応する箇所の水分の影響について説明するための周波数と伝送出力との関係の一例を示すグラフである。
【発明を実施するための形態】
【０００９】
（本発明に至った背景）
上述のような従来の排泄検知システムでは、ＲＦＩＤタグによる水分検出による排泄検知を考えると、ＲＦＩＤタグの設置位置としては、（１）股下部（排泄部）と、（２）背面側と、のいずれかが望ましい。（１）の股下部（排泄部）は、排泄したことを、確実に、素早く読み取ることができるという利点がある。（２）の背面側は、横たわった姿勢では、重力により、尿が背面側へ回り込むため、背面側にたまった尿を検出することで、排泄を検出できる。
【００１０】
しかし、ＲＦＩＤタグの設置位置として望ましい上記２箇所は、ハンディタイプのリーダを使う場合には読み取り難い位置であった。（１）の股下部（排泄部）は、リーダを当てようとすると要介護者に意識させてしまうという問題があった。また、股下部（排泄部）にＲＦＩＤタグを配置した場合、例えば、読み取りが容易な「おへその下」（前面部）にリーダを当てても股下部には直接リーダの読み取り電力が到達しないので、十分な出力が得られず、検出できなかった。（２）の背面部は、要介護者の姿勢を変えない場合には直接にリーダを当てることが困難であった。また、背面部にＲＦＩＤタグを配置した場合、「おへその下」（前面部）にリーダを当てても背面部には直接リーダの読み取り電力が到達しないので、十分な出力が得られず、水分検出できなかった。
【００１１】
そこで、本発明者は、ＲＦＩＤタグの出力を中継して通信可能範囲を拡張することができる中継アンテナをおむつの水分検出用ＲＦＩＤタグに対して設け、中継アンテナによって拡張された通信可能範囲で感度良く水分検出できることを見出し、本発明に至った。
【００１２】
第１の態様に係る水分検出用ＲＦＩＤタグ付き衛生用品は、吸水材と、
前記吸水材と隣接して設けられた水分検出用ＲＦＩＤタグと、
前記水分検出用ＲＦＩＤタグと接続され、前記水分検出用ＲＦＩＤタグの出力を中継して通信可能範囲を拡張する中継アンテナと、
を備え、
前記水分検出用ＲＦＩＤタグは、
ＲＦＩＣ素子と、
前記ＲＦＩＣ素子に接続されたアンテナ素子と、
を含み、
前記水分検出用ＲＦＩＤタグは、前記吸水材に含まれる水分量の変化に起因する通信距離または信号強度の変化を出力するように構成されている。
【００１３】
上記構成によれば、中継アンテナによって拡張された通信可能範囲で感度良く水分を検出できる。
【００１４】
第２の態様に係る水分検出用ＲＦＩＤタグ付き衛生用品は、上記第１の態様において、前記中継アンテナは、前記水分検出用ＲＦＩＤタグの前記アンテナ素子と容量結合していてもよい。
【００１５】
第３の態様に係る水分検出用ＲＦＩＤタグ付き衛生用品は、上記第１の態様において、前記吸水材を有するインナーと、前記インナーを覆うアウターと、を含んでもよい。
【００１６】
第４の態様に係る水分検出用ＲＦＩＤタグ付き衛生用品は、上記第３の態様において、前記アウターは、パンツ型アウターであってもよい。
【００１７】
第５の態様に係る水分検出用ＲＦＩＤタグ付き衛生用品は、上記第３又は第４の態様において、前記水分検出用ＲＦＩＤタグは、前記アウターの内側に配置され、前記中継アンテナは、前記水分検出用ＲＦＩＤタグのアンテナ素子と前記アウターを挟んで対向する前記アウターの外側に配置され、前記水分検出用ＲＦＩＤタグの前記アンテナ素子と容量結合していてもよい。
【００１８】
第６の態様に係る水分検出用ＲＦＩＤタグ付き衛生用品は、上記第１から第５のいずれかの態様において、前記水分検出用ＲＦＩＤタグと、前記水分検出用ＲＦＩＤタグと接続された前記中継アンテナと、を複数組有してもよい。
【００１９】
第７の態様に係る水分検出用ＲＦＩＤタグ付き衛生用品は、上記第１から第６のいずれかの態様において、前記衛生用品は、おむつであってもよい。
【００２０】
第８の態様に係る水分検出用ＲＦＩＤタグ付き衛生用品は、上記第７の態様において、前記水分検出用ＲＦＩＤタグは、前記おむつの股下部に配置されていると共に、
前記中継アンテナは、前記おむつの股下部から前面部および／または背面部まで延在していてもよい。
【００２１】
第９の態様に係る水分検出用ＲＦＩＤタグ付き衛生用品は、上記第７又は第８の態様において、前記水分検出用ＲＦＩＤタグは、前記おむつの背面部に配置されていると共に、
前記中継アンテナは、前記おむつの背面部から前面部まで延在していてもよい。
【００２２】
第１０の態様に係る水分検出用ＲＦＩＤタグ付き衛生用品は、上記第９の態様において、前記中継アンテナは、前記おむつの背面部から股下部を介して前面部まで延在していてもよい。
【００２３】
第１１の態様に係る水分検出用ＲＦＩＤタグ付き衛生用品用中継アンテナユニットは、帯状の支持体と、
前記支持体に設けられ、衛生用品の内面側に配置された水分検出用ＲＦＩＤタグのアンテナ素子と前記衛生用品の一部を介して対向配置されて前記水分検出用ＲＦＩＤタグの前記アンテナ素子と容量結合され、前記水分検出用ＲＦＩＤタグの出力を中継して通信可能範囲を拡張する中継アンテナと、
を備える。
【００２４】
第１２の態様に係る水分検出用ＲＦＩＤタグユニットは、帯状の支持体と、
前記支持体に設けられた水分検出用ＲＦＩＤタグと、
前記水分検出用ＲＦＩＤタグのアンテナ素子と容量結合され、前記水分検出用ＲＦＩＤタグの出力を中継して通信可能範囲を拡張する中継アンテナと、
を備える。
【００２５】
第１３の態様に係る水分検出用ＲＦＩＤタグ付き衛生用品は、
吸水材を有するインナーと、前記インナーを覆うアウターと、を含む衛生用品と、
前記衛生用品に配置され、前記前記吸水材に含まれる水分量の変化に起因する通信距離または信号強度の変化を出力するように構成されている水分検出用ＲＦＩＤタグユニットと、
を備え、
前記水分検出用ＲＦＩＤタグユニットは、
帯状の支持体と、
前記支持体に設けられた水分検出用ＲＦＩＤタグと、
前記水分検出用ＲＦＩＤタグのアンテナ素子と容量結合され、前記水分検出用ＲＦＩＤタグの出力を中継して通信可能範囲を拡張する中継アンテナと、
を含む。
【００２６】
第１４の態様に係る水分検出用ＲＦＩＤタグ付き衛生用品は、上記第１３の態様において、前記アウターは、パンツ型アウターであってもよい。
【００２７】
第１５の態様に係る水分検出用ＲＦＩＤタグ付き衛生用品は、上記第１３又は第１４の態様において、前記水分検出用ＲＦＩＤタグユニットは、前記インナーの外側に配置されていてもよい。
【００２８】
第１６の態様に係る水分検出用ＲＦＩＤタグ付き衛生用品は、上記第１３又は第１４の態様において、前記水分検出用ＲＦＩＤタグユニットは、前記アウターの内側に配置されていてもよい。
【００２９】
第１７の態様に係る水分検出用ＲＦＩＤタグ付き衛生用品は、上記第１３又は第１４の態様において、前記水分検出用ＲＦＩＤタグユニットは、前記アウターの外側に配置されていてもよい。
【００３０】
第１８の態様に係る水分検出用ＲＦＩＤタグ付き衛生用品は、上記第１３から第１７のいずれかの態様において、前記水分検出用ＲＦＩＤタグユニットの前記中継アンテナと接続された他の中継アンテナをさらに備えてもよい。
【００３１】
第１９の態様に係る水分検出用ＲＦＩＤタグ付き衛生用品は、上記第１３から第１８のいずれかの態様において、前記水分検出用ＲＦＩＤタグユニットは、複数配置されていてもよい。
【００３２】
第２０の態様に係る水分検出用ＲＦＩＤデバイスは、吸水材と、
前記吸水材と隣接して設けられたＲＦＩＤタグと、
前記ＲＦＩＤタグと接続され、前記ＲＦＩＤタグの出力を中継して通信可能範囲を拡張する中継アンテナと、
を備え、
前記ＲＦＩＤタグは、
ＲＦＩＣ素子と、
前記ＲＦＩＣ素子に接続されるとともに、前記中継アンテナに結合されたアンテナ素子と、
を含み、
前記ＲＦＩＤタグのうち、前記アンテナ素子の一部およびまたは前記アンテナ素子と前記中継アンテナとの間には、前記吸水材を介した容量部が構成されていて、前記吸水材に含まれる水分量の変化に起因する通信距離または信号強度の変化を出力するように構成されている。
【００３３】
以下、実施の形態に係る水分検出用ＲＦＩＤタグ付き衛生用品について、添付図面を参照しながら説明する。なお、図面において実質的に同一の部材については同一の符号を付している。
【００３４】
（実施の形態１）
＜水分検出用ＲＦＩＤタグ付きおむつ＞
本実施の形態における水分検出用ＲＦＩＤタグは、ＵＨＦ帯をキャリア周波数帯としたＵＨＦ帯のＲＦＩＤタグである。
図１は、実施の形態１に係る水分検出用ＲＦＩＤタグ付きおむつ３０の構成を示すおむつの展開図である。この水分検出用ＲＦＩＤタグ付きおむつ３０は、水分検出用ＲＦＩＤタグ付き衛生用品の一例である。なお、おむつ３０は衛生用品の一例である。図２は、図１の水分検出用ＲＦＩＤタグ付きおむつ３０を人体に装着した場合の構成を示す概略斜視図である。図３（ａ）は、実施の形態１に係る水分検出用ＲＦＩＤタグ付きおむつ３０に用いる水分検出用ＲＦＩＤタグ１０の側断面図である。図３（ｂ）は、図３（ａ）の底面図である。
この水分検出用ＲＦＩＤタグ付きおむつ３０は、吸水材３４と、吸水材３４と隣接して設けられた水分検出用ＲＦＩＤタグ１０と、水分検出用ＲＦＩＤタグ１０と接続され、水分検出用ＲＦＩＤタグ１０の出力を中継する中継アンテナ２０と、を備える。また、水分検出用ＲＦＩＤタグ１０は、代表的には電界型アンテナを利用したＲＦＩＤタグであり、例えば、ＲＦＩＣ素子１と、ＲＦＩＣ素子１に接続されたアンテナ素子１１、１２と、を含んだダイポール型アンテナを備える。水分検出用ＲＦＩＤタグ１０は、吸水材３４に含まれる水分量の変化を、アンテナ素子の電気長の変化やアンテナ素子間の容量の変化等に起因する通信距離または信号強度の変化を出力するように構成されている。中継アンテナ２０と水分検出用ＲＦＩＤタグ１０とは、例えば、容量結合していてもよい。おむつ３０は、外面側の防水材３２と、内面側の吸水材３４と、を備える。また、おむつ３０には、吸水材３４の端部に水分を漏らさないようにギャザー３６を設けてもよい。吸水材３４は、複数枚重ねて設けてもよい。
【００３５】
この水分検出用ＲＦＩＤタグ付きおむつ３０によれば、水分検出用ＲＦＩＤタグ１０と接続され、水分検出用ＲＦＩＤタグ１０の出力を中継して通信距離や通信エリア等の通信可能範囲を拡張する中継アンテナ２０を備えている。例えば、水分検出用ＲＦＩＤタグ１０をおむつ３０の股下部に配置した場合に、中継アンテナ２０を前面部まで延在させておく。これによって、中継アンテナ２０によって水分検出用ＲＦＩＤタグ１０の出力を中継しておむつ３０の前面部に通信可能範囲を広げることができる。そこで、リーダをおむつ３０の股下部に当てることなく、リーダをおむつ３０の前面部に当てれば中継アンテナ２０を経由した出力を検出することができる。そこで、水分検出用ＲＦＩＤタグ１０をおむつ３０の股下部に配置した場合にも、例えば夜間などでも要介護者に意識させることなく、あるいは気付かれることなく、水分検出でき、排泄の有無を確認できる。
【００３６】
以下に、この水分検出用ＲＦＩＤタグ付き衛生用品３０の構成要素について説明する。
【００３７】
＜衛生用品＞
衛生用品３０としては、おむつ３０である。おむつとしては、一体型のおむつ、又は、アウターとインナーとに分離するおむつのいずれであってもよい。また、アウターとインナーとに分離可能なおむつのインナー（又はパッド）であるおむつ用吸水材であってもよい。また、おむつ３０は、乳幼児用のおむつ、成人用の尿漏れ用パンツ、尿漏れ用パッド、介護用パンツ、介護用おむつ等のいずれであってもよい。さらに、ペット用おむつであってもよい。あるいは、これらのインナーであるおむつ用吸水材であってもよい。なお、使用者、ペットの年齢、性別は限定されない。また、おむつは、水分を吸収する素材で形成されていれば良く、布製おむつ、不織布、など、紙おむつに限定されない。
なお、ここでは衛生用品としておむつ３０について説明するが、衛生用品はおむつに限定されない。例えば、女性の生理用品であってもよい。
【００３８】
なお、水分検出用ＲＦＩＤタグ１０は、一体型のおむつの内側又は外側のいずれに配置されていてもよい。また、アウターとインナーとに分離するおむつの場合、インナーの内側又は外側、あるいは、アウターの内側のいずれに配置されていてもよい。中継アンテナ２０は、水分検出用ＲＦＩＤタグ１０のアンテナ素子１１、１２と接続していればよく、おむつの内側又は外側のいずれに配置されていてもよい。また、アウターとインナーとに分離するおむつの場合、インナーの内側又は外側、あるいは、アウターの内側又は外側のいずれに配置されていてもよい。
水分検出用ＲＦＩＤタグ１０のアンテナ素子１１、１２と中継アンテナ２０との位置合わせの容易さを考慮すれば、おむつの外側に水分検出用ＲＦＩＤタグ１０及び中継アンテナ２０が配置され、水分検出用ＲＦＩＤタグ１０と中継アンテナ２０とが容量結合している場合が好ましい。また、アウターとインナーとに分離するおむつの場合、インナーの外側に水分検出用ＲＦＩＤタグ１０及び中継アンテナ２０が配置され、両者が容量結合している場合、インナーの外側に水分検出用ＲＦＩＤタグ１０が配置され、アウターの内側に中継アンテナが配置され、両者が容量結合している場合、インナーの外側に水分検出用ＲＦＩＤタグ１０が配置され、アウターの外側に中継アンテナが配置され、両者が容量結合している場合、アウターの内側に水分検出用ＲＦＩＤタグ１０が配置され、アウターの外側に中継アンテナ２０が配置され、両者が容量結合している場合、等が好ましい。
【００３９】
＜吸水材＞
吸水材１４は、おむつ３０の構成要素であって、高分子吸水材等を配置した吸水材を使用できる。ここで用いる水分検出用ＲＦＩＤタグ１０は、複数の吸水材１４の間、又は、防水材３２と吸水材１４との間に配置してもよい。
【００４０】
＜防水材＞
防水材３２は、おむつ３０の外面を濡らさないようにするために設けられるものであれば使用できる。例えば、ポリオレフィン系フィルム、ポリオレフィン系不織布、ポリエステル系不織布等を利用できる。
【００４１】
＜水分検出用ＲＦＩＤタグ＞
水分検出用ＲＦＩＤタグ１０は、吸水材３４に含まれる水分量の変化に起因する通信距離または信号強度の変化を出力するように構成されている。例えば、吸水材３４の吸水前の通信距離または信号強度よりも、吸水材３４の吸水後の通信距離または信号強度が小さくなるように構成されていてもよい。また、吸水によって水分検出用ＲＦＩＤタグ１０が機能しなくなって出力しなくなるものであってもよい。あるいは、逆に、水分検出用ＲＦＩＤタグ１０は、吸水材３４の吸水前の通信距離または信号強度よりも、吸水材３４の吸水後の通信距離または信号強度が大きくなるように構成されていてもよい。また、この水分検出用ＲＦＩＤタグは、例えば、電磁界型ＲＦＩＤタグであればよい。この水分検出用ＲＦＩＤタグ１０は、ダイポール型ＲＦＩＤタグのほか、一端子型ＲＦＩＤタグ等であってもよい。この水分検出用ＲＦＩＤタグ１０は、例えば、ＲＦＩＣ素子１と、ＲＦＩＣ素子１に接続されたアンテナ素子１１、１２と、を含んでいればよい。
【００４２】
図３（ａ）及び（ｂ）によれば、この水分検出用ＲＦＩＤタグ１０は、ＲＦＩＣ素子１と、第１及び第２放射電極１１、１２からなるアンテナ素子と、第１及び第２放射電極１１及び１２と対向電極１３との間で構成されるコンデンサ素子と、を備える。ＲＦＩＣ素子１は、第１入出力端子２６ａおよび第２入出力端子２６ｂを有する。アンテナ素子１１、１２は、第１入出力端子２６ａに接続された第１放射電極１１および第２入出力端子２６ｂに接続された第２放射電極１２を有する。つまり、各放射電極は一端が給電端、他端が開放端を持った電界型アンテナを構成している。コンデンサ素子は、第１放射電極１１の給電端と第２放射電極１２の給電端との間に直列接続され、かつ、ＲＦＩＣ素子１に対して並列接続されている。さらに、コンデンサ素子は、一対のコンデンサ電極（第１放射電極１１及び対向電極１３、と、第２放射電極１２及び対向電極１３）と、一対のコンデンサ電極間に挟み込まれた吸水材１４と、を有する。この水分検出用ＲＦＩＤタグ１０は、吸水材１４の吸水による誘電率の変化を、通信距離または信号強度の変化として出力するように構成されている。
この水分検出用ＲＦＩＤタグ１０によれば、コンデンサ素子の吸水材１４への吸水による誘電率変化を、通信距離または信号強度の変化として出力することができる。そこで、読取距離に対応する通信距離または信号強度の変化を検出することで、水分検出用ＲＦＩＤタグ１０の吸水状態を知ることができる。つまり、本実施の形態１におけるタグ１０は、湿度センサ等の高価なセンサ素子を別途設けているわけではなく、アンテナ素子とＲＦＩＣ素子とのインピーダンス整合回路（後述）を構成する放射電極間容量の変化を利用して、放射電極間の水分量変化をタグの通信距離または信号強度の変化として検知可能なタグである。
【００４３】
＜ＲＦＩＣ素子＞
図４（ａ）は、ＲＦＩＣ素子１の断面構造を示す概略断面図である。図４（ｂ）は、図４（ａ）の等価回路図である。
ＲＦＩＣ素子１は、ＲＦＩＤ信号を処理するＲＦＩＣチップ２１と、ＲＦＩＣチップ２１を実装する多層基板２５とを有するＲＦＩＣパッケージとして構成される。ＲＦＩＣチップ２１は、メモリ回路や信号処理回路を内蔵し、かつエポキシ樹脂製の封止樹脂２４等によって封止してもよい。ＲＦＩＣチップ２１は、導電性接合材２２と端子電極２３とを介して給電回路を構成する多層基板２５に実装されている。給電回路は、多層基板状に形成してもよい。
また、多層基板２５は、ＬＴＣＣ等のセラミックを材料からなるセラミック多層基板であって、インダクタＬ１及びＬ２を構成するインダクタ用パターン、及びキャパシタＣ１、Ｃ２を構成するキャパシタ用パターン等の給電回路を構成する素子が内蔵されている。インダクタＬ１およびインダクタＬ２は互いに異なるインダクタンス値を有しており、相互インダクタンスＭを介して磁気結合している。等価回路的に言うと、給電回路はさらにキャパシタＣＩＣを含む。キャパシタＣＩＣは、ＲＦＩＣチップ２１自身の浮遊容量である。給電回路は、主としてインダクタＬ１及びＬ２、キャパシタＣＩＣによって構成された共振回路を含む。この共振回路の共振周波数はキャリア周波数に対応する。このように給電回路を設けることによって、第１放射電極１１および第２放射電極１２を有するアンテナ素子の電気長が変化してもキャリア周波数の中心周波数は大きく変化しないようにすることができる。多層基板２５は、第１放射電極１１および第２放射電極１２と端子電極２６ａ、２６ｂを介してそれぞれ接続する。
【００４４】
＜アンテナ素子＞
アンテナ素子は、第１放射電極１１と第２放射電極１２とを備えたダイポール型アンテナである。第１放射電極１１及び第２放射電極１２は、一端側の給電端でＲＦＩＣ素子にそれぞれ接続されていて、他端側はそれぞれ開放端を形成しており、ＲＦＩＣ素子１から互いに反対方向に延在している。第１放射電極１１と第２放射電極１２との間にコンデンサ素子１６が直列接続されている（図５参照）。
ＲＦＩＣ素子１と、第１放射電極１１及び第２放射電極１２は、例えば、図３（ａ）では、第１入出力端子２６ａ及び第２入力端子２６ｂとそれぞれ直流的に直接接続されているが、これに限られない。例えば、ＲＦＩＣ素子１と、第１放射電極１１及び第２放射電極１２とは、直接接続でなく、容量結合、磁界結合等のいずれの結合をしていてもよい。
【００４５】
＜コンデンサ素子＞
図５は、実施の形態１に係る水分検出用ＲＦＩＤタグ１０の全体としての等価回路図である。
コンデンサ素子１６は、図５の等価回路図に示されるように、第１放射電極１１と第２放射電極１２との間に直列接続され、かつ、ＲＦＩＣ素子１に対して並列接続されている。また、コンデンサ素子１６は、一対のコンデンサ電極と、その一対のコンデンサ電極の間に挟み込まれた吸水材と、を有する。つまり、このコンデンサ素子１６は、吸水材の吸水程度によってその容量値が変わる水分感応性コンデンサである。第１放射電極１１および第２放射電極１２の少なくとも一部に対向配置する対向電極１３を設けることによってコンデンサ素子１６を構成している。この場合、一対のコンデンサ電極は、第１放射電極１１の給電端部分および第２放射電極１２の給電端部分と、各放射電極の給電端部分に対向する対向電極１３と、によって構成することができる。具体的には、第１放射電極１１と対向電極１３とによって第１のコンデンサ素子を構成できる。また、第２放射電極１２と対向電極１３とによって第２のコンデンサ素子を構成できる。第１のコンデンサ素子と第２のコンデンサ素子とで、コンデンサ素子１６を構成する。コンデンサ素子１６は少なくとも一つあればよい。なお、コンデンサ素子１６は、アンテナ素子に対して別途設けてもよい。
なお、コンデンサ素子１６は、上記給電回路と共に、ＲＦＩＣ素子１と第１放射電極１１及び第２放射電極１２とのインピーダンスを整合させるための整合回路を構成する。
【００４６】
＜対向電極＞
対向電極１３は、第１放射電極１１および第２放射電極１２の少なくとも一部に対向配置して設けられている。この対向電極１３は、通常の電極として用いられる銅箔、銅板、銅めっき膜、金箔、金板、金めっき膜、アルミ箔、アルミ板、アルミ膜、銀箔、銀板、銀めっき膜、等の材料を用いることができる。材料は上記の例に限られず、通常使用されるものであれば使用できる。また、薄膜等の形成は、めっきに限られず、印刷、蒸着等を用いてもよい。さらに、導電性繊維を用いて電極を構成してもよい。例えば、後述する実施例で示すようにポリエチレンテレフタレート（ＰＥＴ）等の樹脂シート又は樹脂フィルムにアルミ蒸着して対向電極を構成してもよい。
【００４７】
＜吸水材＞
第１放射電極１１と対向電極１３との間と、第２放射電極１２と対向電極１３との間には連続する吸水材１４を挟み込んでいる。吸水材１４としては、例えば高分子吸水材（ポリマー系吸水材）等を使用できる。また、無機系の吸水材を用いることもできる。吸水材としては、吸水の程度が大きいことが好ましい。なお、ここでは、第１放射電極１１と対向電極１３との間と、第２放射電極１２と対向電極１３との間に連続して吸水材１４を設けているが、これに限られず、それぞれ別々に吸水材を設けてもよい。
【００４８】
＜吸水状態の検出について＞
図６は、実施の形態１に係る水分検出用ＲＦＩＤタグ１０のコンデンサ素子１６を設ける前（Ａ）と、コンデンサ素子１６を設けた後（Ｂ）と、更に吸水材１４に水分を吸収した後（Ｃ）と、の周波数と伝送出力との関係の一例を示すグラフである。図６を用いて、この水分検出用ＲＦＩＤタグ１０による吸水状態の検出について説明する。
まず、この水分検出用ＲＦＩＤタグ１０は、コンデンサ素子１６を設けない状態においてもＲＦＩＣ素子１と第１放射電極１１と第２放射電極１２とを備えたアンテナ素子との間で整合回路を構成し、所定の周波数で最大の伝送出力が得られるように調整されている（図６：Ａ）。さらに、コンデンサ素子１６を設けた場合、コンデンサ素子１６は、第１放射電極１１と第２放射電極１２とを備えたアンテナ素子との間に形成される。この場合にも、吸水材１４が吸水していないので、コンデンサ素子１６を設ける前と比べて周波数と伝送出力との関係には大きな変化は見られない（図６：Ｂ）。
一方、コンデンサ素子１６の吸水材１４が水分を吸収した場合には、第１放射電極１１と対向電極１３との間の容量、及び、第２放射電極１２と対向電極１３との間の容量がそれぞれ変化する。その結果、吸水材１４の吸水前と比べてその吸水後には、周波数と伝送出力との関係が大きく変化して、上記所定の周波数での伝送出力が大きく低下する（図６：Ｃ）。例えば、後述の実施例１では２０ｄＢｍ以上変化する。この場合、水分検出用ＲＦＩＤタグ１０とリーダ／ライタ（Ｒ／Ｗ）との通信が不可能となる。所定の周波数における伝送出力の変化を検出することによって水分検出用ＲＦＩＤタグ１０の吸水材１４の吸水状態を検出することができる。なお、図６の周波数と伝送出力との関係（Ａ，Ｂ、Ｃ）は一例であって、これに限られない。
【００４９】
また、図７（ａ）は、実施の形態１に係る水分検出用ＲＦＩＤタグ付きおむつ３０に用いる水分検出用ＲＦＩＤタグの別例（１０a）の上面図であり、（ｂ）は、（ａ）の断面構成を示す側断面図であり、（ｃ）は、（ａ）の等価回路図である。
別例の水分検出用ＲＦＩＤタグ１０ａは、ＲＦＩＣ素子１と、ＲＦＩＣ素子１に接続され、互いに反対方向に延在する第１放射電極１１及び第２放射電極１２と、第１放射電極１１及び第２放射電極１２を支持する吸水材２と、を備える。第１放射電極１１及び第２放射電極１２は、それぞれミアンダ状であって、容量結合可能な複数の対向部１７を有する。対向部１７とは、アンテナ素子内で互いに対向する一対の素片とその間隙とを含む。吸水材２は、ＲＦＩＣ素子１と、第１放射電極１１及び第２放射電極１２と、を支持する基材シートである。また、図７（ｃ）の等価回路図に示すように、ＲＦＩＤタグ１０aは、ＲＦＩＣ素子１と、第１及び第２放射電極１１、１２と、キャパシタ７と、を有する。キャパシタ７は、例えば、ＲＦＩＣ素子１内の浮遊容量又はキャパシタ用のパターンであってもよい。
【００５０】
図８は、図７（ａ）の水分検出用ＲＦＩＤタグ１０ａの第１及び第２放射電極１１、１２のミアンダ形状の対向部１７に水分が含まれた場合の容量結合１８を示す概略図である。なお、開放端間にも容量が形成される。
図８に示す水分検出用ＲＦＩＤタグ１０ａは、吸水材２が水分を吸収すると、第１放射電極１１及び第２放射電極１２の複数の対向部１７の間に容量結合１８が生じ、浮遊容量が大きくなって第１及び第２放射電極１１、１２の電気長が変化する。その結果、図６に示すように通信距離が短くなり無線通信状態が変化し、さらには無線通信自体が不可能になる。例えば、基材シート２を高分子吸水材で構成した場合、吸水していない状態での比誘電率εは５程度である。基材シート２が水分を吸収した場合の比誘電率εは約６０となる。その結果、ミアンダ状の第１及び第２放射電極１１、１２の複数の対向部１７での浮遊容量が大きくなり、アンテナの長さが変化する。そのため、通信距離が短くなって無線通信状態が変化し、さらには無線通信自体ができなくなる。この無線通信状態の変化を検出することによって水分の存在を検出できる。もしくは、基材シートを水分吸収する素材にしなくとも、ＲＦＩＤタグ１０ａを、おむつの内部へ挿入、もしくは、おむつ外層へ貼り付けた場合でも、浮遊容量が大きくなって無線通信が不可能となり、結果として水分検知が可能となる。
【００５１】
図９（ａ）は、実施の形態１に係る水分検出用ＲＦＩＤタグ付きおむつ３０に用いる水分検出用ＲＦＩＤタグのさらに別例（１０ｂ）の構成を示す平面図である。図９（ｂ）は、図９（ａ）のＢ−Ｂ方向から見た断面図である。このＲＦＩＤタグ１０ｂは、第１及び第２の入出力端子２６a、２６bを有するＲＦＩＣ素子１と、第１及び第２の入出力端子２６ａ、２６ｂに接続されたアンテナ素子と、を備える。アンテナ素子は、第１放射パターン１１と、第２放射パターン１２と、を含む放射部と、第１放射パターン１１と第２放射パターン１２とを連接する連接パターン３と、連接パターン３の互いに離れた２箇所８ａ、８ｂからそれぞれ分岐し、第１及び第２の入出力端子と接続する第１及び第２端部５ａ、５ｂに至る第１及び第２接続パターン４ａ、４ｂと、を含む整合部と、を有する。整合部は、第１接続パターン４ａ、第２接続パターン４ｂおよび連接パターン３にて形成されたループ状の整合部である。つまり、このＲＦＩＤタグ１０ｂは、ダイポールアンテナを構成する２つの放射パターン１１、１２とＲＦＩＣ素子１との間にループ状の整合部を有した構成を持つ。さらに、第１接続パターン４ａは、連接パターン３と第１端部５ａとの間に延在方向が反転する折返し部分９ａを有し、第２接続パターン４ｂは、連接パターン３と第２端部５ｂとの間に延在方向が反転する折返し部分９ｂを有する。
このＲＦＩＤタグ１０ｂによれば連接パターン３から分岐し、ＲＦＩＣ素子１と接続する第１及び第２接続パターン４ａ、４ｂが延在方向の反転する折り返し部分９ａ、９ｂを有する。これによって、応力を受けた場合には、応力は連接パターン３で止まり、第１及び第２接続パターン４ａ、４ｂには応力が及びにくく、ＲＦＩＣ素子１とアンテナ素子との接続箇所の損傷の発生を抑制できる。通常より大きなねじり変形等を伴う応力を受けた場合にも、応力は、第１及び第２接続パターン４ａ、４ｂの折り返し部分９ａ、９ｂが変形して吸収され、ＲＦＩＣ素子１との接続箇所である第１及び第２端部５ａ、５ｂには応力が及びにくく、ＲＦＩＣ素子１とアンテナ素子との接続箇所の損傷の発生を抑制できる。
【００５２】
なお、図３乃至図９に示す水分検出用ＲＦＩＤタグ１０、１０ａ、１０ｂは、一例であって、これに限定されない。また、水分検出用ＲＦＩＤタグとして、特別なＲＦＩＤタグを用いる必要はない。通常用いることができる水分検出用ＲＦＩＤタグであれば使用できる。
水分検出用ＲＦＩＤタグは、一つでも、あるいは、複数配置してもよい。複数の水分検出用ＲＦＩＤタグを用いた場合にも、それぞれの水分検出用ＲＦＩＤタグ１０を読み取ることができる。また、水分検出用ＲＦＩＤタグを複数並べることで、「回数検知」や、「排泄位置の検知」等も可能となる。
【００５３】
＜中継アンテナ＞
図１０（ａ）は、実施の形態１に係る水分検出用ＲＦＩＤタグ付きおむつ３０に用いる中継アンテナ２０と水分検出用ＲＦＩＤタグ１０との接続の一例を示す図である。図１０（ｂ）は、中継アンテナ２０に複数の水分検出用ＲＦＩＤタグ１０を接続する一例を示す図である。
中継アンテナ２０は、水分検出用ＲＦＩＤタグ１０と接続され、水分検出用ＲＦＩＤタグ１０の出力を中継して通信可能範囲を拡張する。中継アンテナ２０は、おむつ３０の股下部から前面部まで延在している。また、中継アンテナ２０は、おむつ３０の股下部から背面部まで延在していてもよい。あるいは、後述するように、中継アンテナ２０は、おむつ３０の背面部から前面部まで延在していてもよい。さらに、中継アンテナ２０は、おむつ３０の背面部から股下部を介して前面部まで延在していてもよい。中継アンテナ２０は、その「全体」にわたって通信が可能になる。そこで、中継アンテナ２０をおむつ３０の面に沿って延在させることで、リーダ４０によって十分な出力が得られる通信可能範囲を広範囲にわたって設けることができる。
【００５４】
中継アンテナ２０は、直線形状に限られず、曲線形状であってもよい。また、中継アンテナ２０は、おむつ３０内又はおむつ３０の周囲に巻くので、板状、薄板上、メッシュ状、箔状等の薄い形状が好ましいが、これに限られない。例えば、棒状、線状であってもよい。
さらに、中継アンテナ２０は、電波を放射できる導電性材料からなるものであればよい。例えば、銅箔、銅板、銅めっき膜、金箔、金板、金めっき膜、アルミ箔、アルミ板、アルミ膜、銀箔、銀板、銀めっき膜、等の材料を用いることができる。材料は上記の例に限られず、アンテナの材料としては、通常使用されるものであれば使用できる。また、アンテナの形成は、めっきに限られず、印刷、蒸着等を用いてもよい。例えば、おむつ３０ａの外面側に印刷工法で導電性インクからなる中継アンテナ２０を形成してもよい。さらに、導電性繊維を用いて中継アンテナを構成してもよい。例えば、ポリエチレンテレフタレート（ＰＥＴ）等の樹脂シート又は樹脂フィルムにアルミ蒸着して中継アンテナを構成してもよい。
【００５５】
また、図１０（ａ）及び（ｂ）に示すように、中継アンテナ２０に対する水分検出用ＲＦＩＤタグ１０の挿入方向は、水分検出用ＲＦＩＤタグ１０と中継アンテナ２０とが重なれば、どのような角度でも構わない。中継アンテナ２０は、ダイポールアンテナを構成する第１放射電極および第２放射電極のうち、一方の放射電極の開放端部の近傍に設けることが好ましい。特に、開放端部と容量結合させることが好ましい。一つの中継アンテナ２０と接続させる水分検出用ＲＦＩＤタグ１０は、一つだけでなく、複数配置してもよい。また、水分検出用ＲＦＩＤタグ１０と中継アンテナ２０との接続は、直接接続又は容量結合のいずれであってもよい。例えば、おむつ３０の内面側に挿入された水分検出用ＲＦＩＤタグ１０と重なるように、おむつ３０の外面側、又は、おむつ３０の外部（例えば、おむつカバーや、衣服などを含む）に容量結合性の中継アンテナ２０を取り付けてもよい。
【００５６】
さらに、水分検出用ＲＦＩＤタグ１０と、中継アンテナ２０とが、容易に重なるよう、中継アンテナ２０の水分検出用ＲＦＩＤタグ１０との重なり部分を、大きな面積としてもよい。またさらに、水分検出用ＲＦＩＤタグ１０と、中継アンテナ２０とが、容易に重なるように、水分検出用ＲＦＩＤタグ１０と中継アンテナ２０とを互いに交差させてもよい。
【００５７】
＜中継アンテナによる水分検出用ＲＦＩＤタグの出力の中継について＞
中継アンテナ２０による水分検出用ＲＦＩＤタグ１０の出力の中継の条件について説明する。
図１１（ａ）は、水分検出用ＲＦＩＤタグ１０単体の近傍でリーダ４０による通信を行う場合（Ａ）と、おむつの股下部と前面部との距離に相当する距離ｄでリーダ４０による通信を行う場合（Ｂ）とを示す概略斜視図である。図１１（ｂ）は、おむつ５０の股下部に挿入した単体の水分検出用ＲＦＩＤタグ１０の近傍でリーダ４０による通信を行う場合（Ｃ）と、おむつ５０の股下部から距離ｄだけ離れたおむつ５０の前面部でリーダ４０による通信を行う場合（Ｄ）とを示す概略斜視図である。図１１（ｃ）は、実施の形態１に係る水分検出用ＲＦＩＤタグ付きおむつ３０の股下部に挿入した水分検出用ＲＦＩＤタグ１０の近傍でリーダ４０による通信を行う場合（Ｅ）と、おむつ５０の股下部から距離ｄだけ離れたおむつ３０の前面部でリーダ４０による通信を行う場合（Ｆ）とを示す概略斜視図である。図１２は、図１１の各場合（Ａ〜Ｆ）の水分検出用ＲＦＩＤタグ１０との通信における周波数と伝送出力との関係を示すグラフである。
（ａ）図１１（ａ）及び図１２に示すように、水分検出用ＲＦＩＤタグ１０単体の近傍でリーダ４０による通信を行う場合（Ａ）には、通信の中心周波数で高い伝送出力が得られた。一方、おむつの股下部と前面部との距離に相当する距離で通信を行う場合（Ｂ）には、ほとんど伝送出力が得られなかった。
（ｂ）図１１（ｂ）及び図１２に示すように、おむつ５０の股下部に挿入した単体の水分検出用ＲＦＩＤタグ１０の近傍で通信を行う場合（Ｃ）には、通信の中心周波数で高い伝送出力が得られた。一方、おむつ５０の前面部で通信を行う場合（Ｄ）には、ほとんど伝送出力が得られなかった。
（ｃ）図１１（ｃ）及び図１２に示すように、実施の形態１に係る水分検出用ＲＦＩＤタグ付きおむつ３０の股下部に挿入した水分検出用ＲＦＩＤタグ１０の近傍で通信を行う場合（Ｅ）には、通信の中心周波数で高い伝送出力が得られた。一方、おむつ３０の前面部で通信を行う場合（Ｆ）であっても比較的高い伝送出力が得られた。例えば、おむつ５０の股下部に単体の水分検出用ＲＦＩＤタグ１０を挿入し、おむつ５０の前面部で通信を行う場合（Ｄ）より約１０ｄＢｍ高い伝送出力が得られた。
以上のように、中継アンテナ２０によって水分検出用ＲＦＩＤタグ１０の出力を中継することができる。この場合、中継アンテナ２０を設けていない場合（Ｂ、Ｄ）に比べて、中継アンテナ２０を設けた場合（Ｆ）には、水分検出用ＲＦＩＤタグ１０を配置した股下部から離れた前面部においても高い伝送出力が得られた。この中継アンテナ２０は、水分検出用ＲＦＩＤタグ１０の通信距離や通信エリアを拡大するための補助アンテナ又はリピータとして機能している。つまり、中継アンテナ２０を経由した水分検出用ＲＦＩＤタグ１０からの出力を感度良く検出でき、排泄の有無を確認できる。
【００５８】
＜中継アンテナと水分検出用ＲＦＩＤタグのアンテナとの交差位置について＞
図１３（ａ）は、水分検出用ＲＦＩＤタグ付きおむつ３０における中継アンテナ２０と水分検出用ＲＦＩＤタグ１０ｃ、１０ｄ、１０ｅのアンテナとの交差位置の例を示す概略図である。図１３（ｂ）は、図１３（ａ）の両アンテナの各交差位置（（ｉ）、（ｉｉ）、（ｉｉｉ））における水分検出用ＲＦＩＤタグとの通信周波数と伝送出力との関係を示すグラフである。
図１３（ｂ）に示すように、水分検出用ＲＦＩＤタグ１０ｃ、１０ｄの第１放射電極１１と中継アンテナ２０とは、交差位置にかかわらず同程度の伝送出力が得られた（（ｉ）及び（ｉｉ））。一方、水分検出用ＲＦＩＤタグ１０ｅでは、ＲＦＩＣ素子１と第１放射電極１１と第２放射電極１２との接続部分が中継アンテナ２０と交差するため、低い伝送出力しか得られなかった（（ｉｉｉ））。つまり、中継アンテナ２０を、水分検出用ＲＦＩＤタグ１０ｅのＲＦＩＣ素子１と第１放射電極１１と第２放射電極１２との接続部分に接続すると、中継アンテナ２０による出力を中継する効果は得られなかった。例えば、およそ１０ｄＢｍ出力が低下した。
以上のことから、中継アンテナと水分検出用ＲＦＩＤタグのアンテナとの交差位置は、水分検出用ＲＦＩＤタグのＲＦＩＣ素子１と第１放射電極１１と第２放射電極１２との接続部分にかからなければよいことがわかった。
【００５９】
＜中継アンテナの水分検出用ＲＦＩＤタグからの突き出し量について＞
図１４（ａ）は、水分検出用ＲＦＩＤタグ付きおむつにおける水分検出用ＲＦＩＤタグからの中継アンテナの突き出し量の一例を示す概略図である。図１４（ｂ）は、水分検出用ＲＦＩＤタグからの中継アンテナの突き出し量の別例を示す概略図である。図１４（ｃ）は、図１４（ａ）及び図１４（ｂ）の水分検出用ＲＦＩＤタグからの中継アンテナの各突き出し量の一例と別例の水分検出用ＲＦＩＤタグとの通信における周波数と伝送出力との関係を示すグラフである。
図１４（ｃ）に示すように、水分検出用ＲＦＩＤタグからの中継アンテナ２０の突き出し量は、２５ｍｍの場合（ａ）と、５ｍｍの場合（ｂ）とで大きな変化はない。そこで、中継アンテナ２０の突き出し量については特に考慮しなくてよい。
【００６０】
＜中継アンテナの幅について＞
図１５（ａ）は、水分検出用ＲＦＩＤタグ付きおむつにおける中継アンテナ２０（幅５ｍｍ）の水分検出用ＲＦＩＤタグ１０との配置の一例を示す概略図である。図１５（ｂ）は、図１５（ａ）より中継アンテナ２０ａ（幅１０ｍｍ）の幅を広くした場合の中継アンテナ２０ａの水分検出用ＲＦＩＤタグとの配置の一例を示す概略図である。図１５（ｃ）は、図１５（ａ）及び図１５（ｂ）の各配置例の水分検出用ＲＦＩＤタグとの通信における周波数と伝送出力との関係を示すグラフである。
図１５（ｃ）に示すように、中継アンテナの幅を広くする（ｂ）と、狭い場合（ａ）に比べて伝送出力が高くなった。そこで、中継アンテナの幅は広くすることが好ましい。
但し、中継アンテナ２０ａ（幅１０ｍｍ）でも、実使用可能な伝送出力は得られている。
なお、上記結果は、水分検出用ＲＦＩＤタグ１０と中継アンテナ２０との交差位置が互いに同じ条件で比較したものである。
【００６１】
＜おむつ交換方法＞
図１６は、図１の水分検出用ＲＦＩＤタグ付きおむつ３０を使用する場合のおむつ交換のフローチャートである。
（１）水分検出用ＲＦＩＤタグ付きおむつ３０を要介護者自身が装着するか、又は、介護者が要介護者に装着させる（Ｓ１１）。
（２）おむつ交換の定期巡回時に、介護者が要介護者のおむつ３０に対して、例えば、一定距離に配置したスマートフォン等の通信端末にリーダ装置を一体化したスマートフォン合体型のリーダ４０によって、水分検出用ＲＦＩＤタグ１０の読み取りを行う（Ｓ１２）。なお、リーダ４０は、スマートフォン合体型のリーダに限られず、据え置き型のリーダや、スマートフォン合体型ではないハンディタイプのリーダであってもよい。据え置き型リーダは、シーツや布団のように、横たわっている介護者の体の下に、敷くタイプのものも含む。もしくは、バッテリと外部ネットワークとの通信機能を持たせた小型ユニットを、おむつや、洋服などに取り付けることで要介護者が常に装着し、一定の間隔で常時状態を監視する機構としてもよい。
（３）おむつの装着後、規定以上の時間が経過しているか判断し（Ｓ１３）、規定以上の時間が経過していれば、介護者が要介護者のおむつ３０を除去し（Ｓ１４）し、要介護者が水分検出用ＲＦＩＤタグ１０を装着した新しいおむつ３０を装着するか、又は、装着させる（Ｓ１５）。その後、水分検出用ＲＦＩＤタグ１０の読み取り（Ｓ１２）に戻る。
なお、規定以上の時間が経過していなければ、次のステップＳ１６に移る。
このようにおむつの装着後の時間に応じておむつ交換を行うことによって、おむつかぶれ、蓐瘡等を防ぐことができる。例えば、複数回吸収可能なおむつを使用している場合、排尿量が少ない場合、おむつに付着した尿が長時間にわたって体に触れ、蓐瘡などの原因となる可能性がある。また、「体勢により、タグの部分に尿が導かれなった場合」や、「タグが外れてしまった場合」などの場合にも、「規定時間」を設けておくことでおむつ交換を促してベッド等に尿が漏れることを、防止出来る。
（４）水分検出用ＲＦＩＤタグ１０との通信における信号強度がしきい値以上か判断し（Ｓ１６）、しきい値以上の信号強度があれば（ＹＥＳ）、水分検出用ＲＦＩＤタグ１０の吸水材１４は吸水していないことを示している。つまり、おむつ３０の中にはまだ水分は存在しないということであり、おむつ交換は行わず（Ｓ１７）、定期巡回時のＲＦＩＤタグ１０の読み取り（Ｓ１２）にもどる。
一方、水分検出用ＲＦＩＤタグ１０との通信における信号強度がしきい値未満である場合（ＮＯ）には、吸水材１４が吸水していると考えられる。この場合、おむつ３０の中に相当量の水分、つまり小便又は大便等が相当量存在することになる。そこで、次のステップＳ１８に移る。
【００６２】
（５）介護者が要介護者のおむつ３０を除去し（Ｓ１８）、要介護者が水分検出用ＲＦＩＤタグ１０を装着した新しいおむつ３０を装着するか、又は、装着させる（Ｓ１９）。
（６）おむつ交換直後におむつ３０に対して一定距離に配置したリーダ４０によって、水分検出用ＲＦＩＤタグ１０の読み取りを行う（Ｓ２０）。その後、水分検出用ＲＦＩＤタグ１０との通信における信号強度がしきい値以上か判断するステップＳ１６に移行する。このようにおむつ交換直後に水分検出用ＲＦＩＤタグ１０の読み取りを行うことによって、水分検出用ＲＦＩＤタグ１０の初期不良を検出できる。
なお、おむつ交換直後の水分検出用ＲＦＩＤタグ１０の読み取り（Ｓ２０）を行わず、定期巡回時のＲＦＩＤタグ１０の読み取り（Ｓ１２）にもどるようにしてもよい。つまり、おむつ交換直後の水分検出用ＲＦＩＤタグ１０の読み取りを省略してもよい。
以上によって、スマートフォン合体型のリーダ４０を用いた定期巡回によるおむつ交換を行うことができる。また、このフローチャートでは、実際の状態に合わせておむつ交換を必要な回数だけ繰り返して行うことができる。
【００６３】
なお、ここでは水分検出用ＲＦＩＤタグ１０からの信号強度がしきい値以上であるか判断して、無線通信状態の変化を検出している。これによって、吸水状態を検出している。許容量になったらおむつ交換を行うように、許容量での信号強度に対応するしきい値を設定すればよい。そこで、おむつ３０の濡れ状態をより適切に把握でき、おむつ交換の要否をより確実に判断できる。例えば、おむつ３０内の水分状態の表示の際に、おむつ３０の濡れ状態を数値化又は視覚化して表示してもよい。例えば、おむつ３０の濡れ状態を黄色、赤色等の複数の色分けによって表示して、おむつ交換の必要性を把握しやすくしてもよい。
【００６４】
なお、ここでは、水分検出用ＲＦＩＤタグ１０は、吸水材１４の吸水前の通信距離または信号強度よりも、吸水材１４の吸水後の通信距離または信号強度が小さくなるように構成されている場合について説明した。しかしこの場合に限られず、例えば、逆に、水分検出用ＲＦＩＤタグ１０は、吸水材１４の吸水前の通信距離または信号強度よりも、吸水材１４の吸水後の通信距離または信号強度が大きくなるように構成されている場合であってもよい。
なお、上記おむつの装着後、規定以上の時間が経過しているか判断する一連のステップＳ１３〜Ｓ１５は、必須のものではなく、必要に応じて行ってもよい。
【００６５】
（実施の形態２）
＜水分検出用ＲＦＩＤタグ付きおむつ＞
図１７は、実施の形態２に係る水分検出用ＲＦＩＤタグ付きおむつ３０ａの構成を示すおむつの展開図である。図１８は、図１７の水分検出用ＲＦＩＤタグ付きおむつ３０ａを人体に装着した場合の構成を示す概略斜視図である。
この水分検出用ＲＦＩＤタグ付きおむつ３０ａは、実施の形態１に係る水分検出用ＲＦＩＤタグ付きおむつと対比すると、水分検出用ＲＦＩＤタグ１０をおむつ３０ａの股下部（排泄部）ではなく、おむつ３０ａの内側の背面部に配置している点で相違する。また、中継アンテナ２０ｂ、２０ｃをおむつ３０ａの外側からおむつ３０ａを介して水分検出用ＲＦＩＤタグ１０の第１放射電極１１及び第２放射電極１２のそれぞれに接続している点で相違する。さらに、中継アンテナ２０ｂ、２０ｃを人体の腰回りから臀部に沿って、おむつ３０ａの外側の背面部から前面部まで延在している点で相違する。なお、この水分検出用ＲＦＩＤタグ付きおむつ３０ａでは、中継アンテナ２０ｂ、２０ｃを含む一体型として構成されている。また、図１８に示すように、中継アンテナ２０ｃは、背面部の腰回りから臀部に沿って配置されているが、これに限られない。例えば、背面側も腰回りに沿って中継アンテナ２０ｃを配置してもよい。
【００６６】
この水分検出用ＲＦＩＤタグ付きおむつ３０ａによれば、リーダ４０をおむつの背面部に当てることなく、おむつ３０ａの前面部に当てれば中継アンテナ２０ｂ、２０ｃを経由した出力を検出することができる。そこで、水分検出用ＲＦＩＤタグ１０をおむつ３０ａの内側の背面部に配置した場合にも、要介護者の姿勢を変えることなく水分検出できる。  例えば、介護者が「横向き」の姿勢となっている場合でも、「腰部」を中継アンテナ２０ｂ、２０ｃが通過しているため、「腰部」で水分検出用ＲＦＩＤタグ１０の出力を検知することも、可能である。
【００６７】
＜水分検出用ＲＦＩＤタグ付きおむつ用中継アンテナユニット＞
図１９（ａ）は、実施の形態２に係る水分検出用ＲＦＩＤタグ付きおむつ３０ａに用いる中継アンテナユニット３７の構成を示す概略図である。図１９（ｂ）は、図１９（ａ）の中継アンテナユニット３７における中継アンテナ２０ｂ、２０ｃと水分検出用ＲＦＩＤタグとの接続箇所を示す拡大図である。
図１９（ａ）に示すように、水分検出用ＲＦＩＤタグ付きおむつ３０ａに用いる中継アンテナを、おむつとは別体の中継アンテナユニット３７として構成してもよい。この中継アンテナユニット３７は、帯状の支持体３８と、支持体に設けられた中継アンテナ２０ｂ、２０ｃと、を備える。支持体３８は、例えば、布、テープ、フィルム、紙、シリコンなどの柔軟性のある物体等を用いてもよい。また、支持体３８上に中継アンテナ２０ｂ、２０ｃを印刷又は蒸着等で形成してもよい。中継アンテナユニット３７は、例えば、帯状、ベルト状、紐状、フィルム状等のいずれであってもよい。また、図１９（ｂ）に示すように、支持体３８には、中継アンテナ２０ｂ、２０ｃの取り付けの位置の「ガイド線」３９を設けてもよい。このガイド線３９は、おむつの内面側に配置した水分検出用ＲＦＩＤタグ１０の配置位置に対応する。例えば、ガイド線３９は、水分検出用ＲＦＩＤタグ１０の中心に対応するものであってもよい。なお、ガイド線３９は、水分検出用ＲＦＩＤタグ１０自体の形状そのままでなくてもよい。このガイド線３９に沿って中継アンテナ２０ｂ、２０ｃを配置することによって、中継アンテナ２０ｂ、２０ｃと水分検出用ＲＦＩＤタグ１０との位置合わせが容易になる。これによって、中継アンテナ２０ｂ、２０ｃの取り付けが容易になる。この場合、おむつの外面側に水分検出用ＲＦＩＤタグ１０の配置位置を示すマークを示してもよい。あるいは、おむつの外面側に中継アンテナユニット３７を装着する位置のマークを示してもよい。
なお、中継アンテナ２０ｂ、２０ｃは、上記のように水分検出用ＲＦＩＤタグ付きおむつ３０ａのように一体構造としてもよく、あるいは、上記中継アンテナユニット３７のようにおむつとは別体として構成してもよい。
【００６８】
（実施の形態３）
図２０（ａ）は、実施の形態３に係る水分検出用ＲＦＩＤタグユニット３７ａの構成を示す上面図である。図２０（ｂ）は、図２０（ａ）の底面図である。図２０（ｃ）は、図２０（ａ）の水分検出用ＲＦＩＤタグユニット３７ａにおける中継アンテナ２０ｂ、２０ｃと水分検出用ＲＦＩＤタグ１０ｆとの接続箇所を示す拡大図である。図２１（ａ）は、図２０（ａ）の水分検出用ＲＦＩＤタグユニット３７ａの断面構造を示す断面図である。図２１（ｂ）は、図２１（ａ）の水分検出用ＲＦＩＤタグユニット３７ａをおむつ３０ａの外面側の防水材３２に装着した状態を示す概略断面図である。
この水分検出用ＲＦＩＤタグユニット３７ａは、実施の形態２に係る中継アンテナユニット３７と対比すると、水分検出用ＲＦＩＤタグ１０ｆが設けられている点で相違する。この水分検出用ＲＦＩＤタグ１０ｆは、実施の形態１に係る水分検出用ＲＦＩＤタグ１０と対比すると、対向電極１３及び吸水材１４を有していない点で相違する。この水分検出用ＲＦＩＤタグ１０ｆは、水分を検出しようとする対象との間で容量を構成している。これによって、対象の水分量の変化を、アンテナ素子の電気長の変化やアンテナ素子間の容量の変化等に起因する通信距離または信号強度の変化として出力することができる。
また、水分検出用ＲＦＩＤタグ１０ｆが、おむつ３０ａの水分と近くなるように、中心の水分検出用ＲＦＩＤタグ１０ｆのおむつ３０ａへの取り付け箇所を加工してもよい。例えば、保護フィルムが不要で、水分検出用ＲＦＩＤタグ１０ｆがおむつ３０ａと密着する構造としてもよい。あるいは、保護フィルムを設けるが、保護フィルムとして薄い材料を選定してもよい。さらに、水分検出用ＲＦＩＤタグ１０ｆの周りに粘着テープを設け、水分検出用ＲＦＩＤタグ１０ｆとおむつ３０ａとを直接接触する構造が好ましい。
【００６９】
この水分検出用ＲＦＩＤタグユニット３７ａは、帯状の支持体３８と、支持体３８に設けられた水分検出用ＲＦＩＤタグ１０ｆと、水分検出用ＲＦＩＤタグ１０ｆのアンテナ素子１１、１２と容量結合され、水分検出用ＲＦＩＤタグ１０ｆの出力を中継して通信可能範囲を拡張する中継アンテナ２０ｂ、２０ｃと、を備える。具体的には、水分検出用ＲＦＩＤタグ１０ｆのアンテナ素子１１、１２と、中継アンテナ２０ｂ、２０ｃとは、それぞれ支持体３８を介して容量結合されている。
また、この水分検出用ＲＦＩＤタグユニット３７ａを水分検出用ＲＦＩＤタグ１０ｆがおむつ３０ａの外面側の防水材３２に密着するように装着することで、おむつ３０ａの水分検出用に用いることができる。この場合、水分検出用ＲＦＩＤタグ１０ｆのアンテナ素子１１、１２とＲＦＩＣ素子１との接続部に対しておむつ３０ａの内側の吸水材３４ａ、３４ｂが容量を形成し、吸水材３４ａ、３４ｂの水分量の変化を、アンテナ素子１１、１２の電気長の変化やアンテナ素子間の容量の変化等に起因する通信距離または信号強度の変化として出力することができる。
なお、この水分検出用ＲＦＩＤタグユニット３７ａは、その用途がおむつの水分検出に限られない。水分検出用ＲＦＩＤタグ１０ｆのアンテナ素子１１、１２とＲＦＩＣ素子１との接続部に対して容量を形成する対象であれば、その対象の水分検出に用いることができる。
【００７０】
（実施の形態４）
実施の形態４に係る水分検出用ＲＦＩＤタグ付きおむつは、実施の形態１に係る水分検出用ＲＦＩＤタグ付きおむつと対比すると、中継アンテナを「水で溶ける構造」としている点で相違する（図示せず）。このようにすることで、「尿が意図しない箇所でも漏れた場合」には、水分検出用ＲＦＩＤタグによる水分検出はできなくとも、漏れた尿によって中継アンテナ自体が溶ける。これによって、中継アンテナによる出力の中継の効果が得られなくなるため、水分検出が可能となる。
【００７１】
（実施の形態５）
図２２は、実施の形態４に係る水分検出用ＲＦＩＤタグ付きおむつ３０ｂの構成を示すおむつの展開図である。
この水分検出用ＲＦＩＤタグ付きおむつ３０ｂは、実施の形態１及び２に係る水分検出用ＲＦＩＤタグ付きおむつと対比すると、水分検出用ＲＦＩＤタグ１０ｇ、１０ｈ、１０ｉ、１０ｊが背面部と股下部とに配置されている点で相違する。また、中継アンテナ２０ｂ、２０ｃ、２０ｄ、２０ｅが複数配置されている点で相違する。さらに、中継アンテナ２０ｄ、２０ｅは、背面部から股下部を介して前面部に延在させてもよい。これによって、十分な出力が得られる箇所を広角度にわたって設けることができる。なお、水分検出用ＲＦＩＤタグ１０ｇ、１０ｈ、１０ｉ、１０ｊを複数配置することによって、「回数検知」や、「排泄位置の検知」等も可能となる。また、中継アンテナ２０ｂ、２０ｃ、２０ｄ、２０ｅを複数配置することによって、リーダによる検出可能範囲を広くすることができる。
【００７２】
（実施の形態６）
図２３（ａ）は、実施の形態６に係る水分検出用ＲＦＩＤタグ付きおむつ中継システム３０ｃにおけるベッド７０上の中継アンテナの位置を示す位置マーク５２を設けたことを示す概略斜視図である。図２３（ｂ）は、ベッド７０に水分検出用ＲＦＩＤタグ１０を挿入したおむつ５０を装着した人体６０が横たわっている状態を示す側面図である。図２３（ｃ）は、図２３（ｂ）のＲＦＩＤタグ１０と中継アンテナ２０ｆとの接続箇所を示す概略断面図である。なお、図２３（ｂ）では、おむつ５０以外の衣類を省略している。また、図２３（ｃ）では、さらに関連する部材以外を省略している。
この水分検出用ＲＦＩＤタグ付きおむつ中継システム３０ｃでは、おむつ５０には、単体の水分検出用ＲＦＩＤタグ１０が挿入されているだけであって、中継システムは含まれていない点で相違する。一方、中継アンテナ２０ｆは、ベッド７０の上面に配置されている。中継アンテナ２０ｆは、複数の中継アンテナを含んでいてもよい。人体がベッド７０に横たわることで、おむつ５０の背面部に配置された水分検出用ＲＦＩＤタグ１０の第１放射電極１１とベッド７０上に配置された中継アンテナ２０ｆとがおむつ５０を介して密着して容量結合する（図２３（ｃ））。これによって水分検出用ＲＦＩＤタグ付きおむつ中継システム３０ｃが構成される。なお、ベッド７０上には、おむつ５０内に配置された水分検出用ＲＦＩＤタグ１０の位置を中継アンテナ２０ｆに位置合わせするための位置マーク５２を設けておいてもよい。
なお、おむつ５０内に、「おむつ５０内の水分検出用ＲＦＩＤタグ１０と容量結合する中継アンテナ」を設けてもよい。この場合、「ベッド７０の中継アンテナ２０ｆ」と「おむつ５０内に設けた中継アンテナ」との中継アンテナの２段階の結合を構成してもよい。つまり、中継アンテナを複数段階設けてもよい。
また、ベッド７０に、「臭いセンサ」（図示せず）を追加することで、水分検出用ＲＦＩＤタグと中継アンテナとを用いた尿検知に加え、便の検知も実現することが出来る。
さらに、ベッド７０に、「２本の導線による水分検知機能」を設けてもよい。ベッド７０に２本の導線を設けることで、体勢によりおむつ内のタグに尿が触れず、ベッド７０に尿が付着した際に、それを検知し報知することも可能となる。
【００７３】
通常、おむつの背面部に配置した水分検出用ＲＦＩＤタグ１０からの出力を検出することは困難である。上記の水分検出用ＲＦＩＤタグ付きおむつ中継システム３０ｃの構成によれば、おむつ５０の背面部に配置された水分検出用ＲＦＩＤタグ１０とベッド７０の上面の中継アンテナ２０ｆとを容量結合させることができる。これによって、ベッド７０の側面から中継アンテナ２０ｆを経由して、水分検出用ＲＦＩＤタグ１０からの出力を検出できる。
【００７４】
(実施の形態７)
図２４（ａ）は、実施の形態７に係る水分検出用ＲＦＩＤタグ付きおむつを構成するインナー４２の外側を示す概略図である。図２４（ｂ）は、アウター４４の外側を示す概略図である。図２４（ｃ）は、インナー４２の内側を示す概略図である。図２４（ｄ）は、アウター４４の内側を示す概略図である。なお、インナー４２及びアウター４４は、実際のものよりも簡略化して表現している。
なお、図２４（ａ）乃至（ｄ）では、背面部、股下部、前面部を表示しているが、以降の図２５乃至図４１では繰り返しを避けるため、これらの表示を省略している。
この水分検出用ＲＦＩＤタグ付きおむつでは、インナー４２とアウター４４とを備える。インナー４２の内側には吸水材の境界線４３を仮想線で示している。また、アウター４４の内側にも吸水材の境界線４７を仮想線で示している。ＲＦＩＤタグ１０をアウター４４の内側に配置し、中継アンテナ２０をアウター４４の外側の背面部から股下部を介して前面部にわたって延在させ、その一端を内側のＲＦＩＤタグ１０とアウター４４を挟んで対向させている。つまり、アウター４４の内側のＲＦＩＤタグ１０と外側の中継アンテナ２０の一端とは、アウター４４を挟んで容量結合している。また、ＲＦＩＤタグ１０の読み取りは、例えば、ハンディリーダによって中継アンテナ２０を介して行うことができる。
この水分検出用ＲＦＩＤタグ付きおむつによれば、アウター４４にＲＦＩＤタグ１０を取り付けているので、アウター４４を廃棄するまでは、複数のインナー４２を交換しながら、それぞれのインナー４２における水分検知が可能であり、ランニングコストを抑えることができる。また、中継アンテナ２０は、アウター４４に取り付けているだけなので、既存のおむつへの追加工で対応できる。さらに、インナー４２の水分からの影響が少なくなるよう、中継アンテナ２０は、「アウター４４の吸収体が厚い部分」、つまりアウター４４の外側を通して配置している。
【００７５】
また、この水分検出用ＲＦＩＤタグ付きおむつでは、ＲＦＩＤタグ１０をインナー４２の吸収上限位置４５に対応するアウター４４の内側に配置している。ＲＦＩＤタグ１０は、アウター４４に対して背面部から股下部を介して前面部に至る方向に垂直な「横方向」に配置している。なお、ＲＦＩＤタグ１０と中継アンテナ２０との接続部分は、水分に対して敏感である。そのため、ＲＦＩＤタグ１０を股下部から背面に沿った「縦方向」に取り付けると、ＲＦＩＤタグ１０と中継アンテナ２０との接続部が水分検知ポイントと成り得てしまう。上記のようにＲＦＩＤタグ１０を吸収上限位置４５に沿って横方向に配置することで、吸収上限位置４５に達する水分をＲＦＩＤタグ１０で受けることができ「上限」に達したことがわかる。また、吸収上限位置４５に沿って横方向に配置することで「上限に達する前の誤報」を防止することができる。一方、ＲＦＩＤタグ１０と中継アンテナ２０との「接続部が水分に敏感」な特性を活用して水分検出を行うこともできる。
【００７６】
さらに、アウター４４の「腰部」に中継アンテナ２０を通す場合、「腰部には吸収体が無い」ために、ハンディリーダから中継アンテナが受け取った電力が、背中側のＲＦＩＤタグ１０に到達するまえに、腰部の人体に吸収されてしまい、ＲＦＩＤタグが濡れていないときも通信出来ず、水分の有無を検知することが出来ない場合がある。これを回避するために、腰部へのスペーサーの追加が必要となる。これに対して、股下部にはおむつ（インナー４２及びアウター４４）に吸収体が元々備わっている。そこで、上記のように中継アンテナ２０を股下部を介して通すことで、人体の影響を受けにくくする工夫が不要である。また、アウターの吸収体の厚みが、場所により異なっている場合には、中継アンテナ２０をアウター４４の外側の吸収体の厚い部分への取り付けることで、通信距離を延ばすことが出来る。つまり、中継アンテナ２０と人体との距離を、吸収体１枚分以上の距離 離すことで、中継アンテナ２０を流れている電力がＲＦＩＤタグ１０に到達する前に人体に吸収されることを防止できる。
【００７７】
また、インナー４２は、内側にも外側にも何も取り付ける必要がなく市販のままの状態で使用できる。
一方、アウター４４の外側の中継アンテナ２０は、例えば、出荷段階でおむつメーカーが取り付けるか、もしくは介護者が取り付けてもよい。また、アウター４４の内側のＲＦＩＤタグ１０は、例えば、出荷段階もしくは介護者が取り付けてもよい。さらに、ＲＦＩＤタグ１０は、アウター４４の内側、インナー４２の吸収上限に相当する位置４５に、横向きに取り付けている。このＲＦＩＤタグ１０は、取り外し可能とし、介護者が取り付け位置を適宜変更可能としてもよい。その場合、「中継アンテナとの重なり」は必須であるので、おむつ（アウター４４）内部に、ＲＦＩＤタグ１０を配置する位置決めのためのガイドラインの表示を設けてもよい。
【００７８】
（実施の形態８）
図２５（ａ）は、実施の形態８に係る水分検出用ＲＦＩＤタグ付きおむつを構成するインナー４２の外側を示す概略図である。図２５（ｂ）は、アウター４４の外側を示す概略図である。図２５（ｃ）は、インナー４２の内側を示す概略図である。図２５（ｄ）は、アウター４４の内側を示す概略図である。
この水分検出用ＲＦＩＤタグ付きおむつでは、インナー４２とアウター４４とを備え、ＲＦＩＤタグ１０ｋ、１０ｌ、１０ｍをアウター４４の内側に３個配置し、それぞれのＲＦＩＤタグ１０ｋ、１０ｌ、１０ｍごとに対応させた３本の中継アンテナ２０ｇ、２０ｈ、２０ｉをアウター４４の外側の背面部から股下部を介して前面部にわたって延在させている。また、ＲＦＩＤタグ１０ｋ、１０ｌ、１０ｍの読み取りは、例えば、ハンディリーダによって中継アンテナ２０ｇ、２０ｈ、２０ｉを介して行うことができる。
この水分検出用ＲＦＩＤタグ付きおむつによれば、ＲＦＩＤタグ１０ｋ、１０ｌ、１０ｍを複数取り付けることで、インナー４２の吸収上限位置４５だけでなく、例えば、側臥位で尿が漏れ易い位置に設けることができる。これによって「横からの漏れ」なども検知ができる。つまり、ＲＦＩＤタグ１０ｋ、１０ｌ、１０ｍが取り付けられた、「アウター部分のみ」に尿濡れが生じた場合にも、通信が不能となる。なお、中継アンテナ２０ｇ、２０ｈ、２０ｉは、直線状の導電体を「折り曲げる」構造として形成することで、低コストで実現できる。
【００７９】
また、インナー４２は、内側にも外側にも何も取り付ける必要がなく市販のままの状態で使用できる。
一方、アウター４４の外側の中継アンテナ２０ｇ、２０ｈ、２０ｉは、例えば、出荷段階でおむつメーカーが取り付けるか、もしくは介護者が取り付けてもよい。また、アウター４４の内側のＲＦＩＤタグ１０ｋ、１０ｌ、１０ｍは、例えば、出荷段階もしくは介護者が取り付けてもよい。
【００８０】
また、この水分検出用ＲＦＩＤタグ付きおむつでは、３本の中継アンテナ２０ｇ、２０ｈ、２０ｉのそれぞれの読み取り部である終端部４１の位置をズラすことで、３つのＲＦＩＤタグ１０ｋ、１０ｌ、１０ｍをそれぞれ読めるようにしている。具体的には、ハンディリーダで、読み取り位置をずらしながら読むことができる。
【００８１】
なお、この実施の形態８では、各中継アンテナ２０ｇ、２０ｈ、２０ｉを、各ＲＦＩＤタグ１０ｋ、１０ｌ、１０ｍのうちの一つのＲＦＩＤタグ専用としてそれぞれ設けている。これは、１本の中継アンテナを、途中から３本に分割すると、３つのＲＦＩＤタグに均等に電力が分散されず、３つすべてを読めないという問題点があるためである。上記のように、ＲＦＩＤタグ１０ｋ、１０ｌ、１０ｍごとにそれぞれ中継アンテナ２０ｇ、２０ｈ、２０ｉを設けることで、３つのＲＦＩＤタグ１０ｋ、１０ｌ、１０ｍのすべてを読むことが出来る。
【００８２】
（実施の形態９）
図２６（ａ）は、実施の形態９に係る水分検出用ＲＦＩＤタグ付きおむつを構成するインナー４２の外側を示す概略図である。図２６（ｂ）は、アウター４４の外側を示す概略図である。図２６（ｃ）は、インナー４２の内側を示す概略図である。図２６（ｄ）は、アウター４４の内側を示す概略図である。
この水分検出用ＲＦＩＤタグ付きおむつでは、インナー４２とアウター４４とを備え、ＲＦＩＤタグ１０をアウター４４の内側に配置し、２本の中継アンテナ２０ｊをアウター４４の外側の腰部の左右にわたってそれぞれ延在させている。また、ＲＦＩＤタグ１０の読み取りは、例えば、ハンディリーダによって中継アンテナ２０ｊを介して行うことができる。
この水分検出用ＲＦＩＤタグ付きおむつによれば、２本の中継アンテナ２０ｊを腰部の左右に延在させて配置していることを特徴とする。「股部」に中継アンテナを通すと、インナー４２の吸収上限位置４５に達するまでの間、中継アンテナはインナー４２の水分の影響を受けて通信距離が短くなる。これに対して、上記のように、中継アンテナ２０ｊが「腰部」を通すように配置されている場合には、中継アンテナ２０ｊは、インナー４２の「水分」の影響を受けず、ＲＦＩＤタグ１０の吸収上限位置４５に水分が達するまで、「排尿していない、装着直後の初期状態と同じ通信距離」で、介護者は読み取りができる。
【００８３】
また、インナー４２は、内側にも外側にも何も取り付ける必要がなく市販のままの状態で使用できる。
一方、アウター４４の中継アンテナ２０ｊは、例えば、出荷段階でおむつメーカーが取り付けるか、もしくは介護者が取り付けてもよい。また、アウター４４の内側のＲＦＩＤタグ１０は、例えば、出荷段階でおむつメーカーが取り付けるか、もしくは介護者が取り付けてもよい。さらに、人体の影響を低減するため、アウター４４の外側の腰部の中継アンテナ２０ｊが通る位置に対応する、アウター４４の内側の腰部にスペーサ２９となる吸収体を配置してもよい。この吸収体２９は、出荷段階でおむつメーカーが取り付けてもよい。
なお、この水分検出用ＲＦＩＤタグ付きおむつでは、実施の形態７と同様にＲＦＩＤタグ１０をインナー４２の水分吸収上限位置４５に対応するアウター４４の内側に配置している。ＲＦＩＤタグ１０は、アウター４４に対して背面部から股下部を介して前面部に至る方向に垂直な「横方向」に配置している。
【００８４】
（実施の形態１０）
図２７（ａ）は、実施の形態１０に係る水分検出用ＲＦＩＤタグ付きおむつを構成するインナー４２の外側を示す概略図である。図２７（ｂ）は、アウター４４の外側を示す概略図である。図２７（ｃ）は、インナー４２の内側を示す概略図である。図２７（ｄ）は、アウター４４の内側を示す概略図である。図２８（ａ）は、実施の形態１０に係る水分検出用ＲＦＩＤタグユニット３７ｂの表側の構成を示す平面図である。図２８（ｂ）は、図２８（ａ）の裏側の構成を示す平面図である。
この水分検出用ＲＦＩＤタグ付きおむつでは、インナー４２とアウター４４とを備え、ＲＦＩＤタグ１０ｎと中継アンテナ２０ｋとを含む一体型の水分検出用ＲＦＩＤタグユニット３７ｂをインナー４２の外側に配置している。
この、水分検出用ＲＦＩＤタグユニット３７ｂは、表側に中継アンテナ２０ｋが設けられ、裏側にＲＦＩＤタグ１０ｎが設けられている。ＲＦＩＤタグ１０ｎの端部と中継アンテナ２０ｋの端部とは支持体３８を介して互いに対向しており、容量結合している。
また、水分検出用ＲＦＩＤタグユニット３７ｂは、インナー４２の外側の背面部から股下部を介して前面部にわたって延在させている。また、水分検出用ＲＦＩＤタグユニット３７ｂのＲＦＩＤタグ１０は、インナー４２の外側の面に対向させている。ＲＦＩＤタグ１０ｎの読み取りは、例えば、水分検出用ＲＦＩＤタグユニット３７ｂの中継アンテナ２０ｋを介して前面部のおへそ付近でハンディリーダによって行うことができる。
【００８５】
この水分検出用ＲＦＩＤタグ付きおむつでは、ＲＦＩＤタグ１０ｎと中継アンテナ２０ｋとを含む一体型の水分検出用ＲＦＩＤタグユニット３７ｂをインナー４２の外側に配置しているので、市販のインナー４２に対して、介護者が装着時に取り付けることができる。これによって、簡易に排泄検知ができる。また、この水分検出用ＲＦＩＤタグユニット３７ｂは、耐水性を付与しておき、洗浄して繰り返し使用できるようにしてもよい。なお、水分検出用ＲＦＩＤタグユニット３７ｂのインナー４２への貼り付けは、例えば、テープなどで貼りつけるようにしてもよい。
また、上記のように水分検出用ＲＦＩＤタグユニット３７ｂを市販のインナー４２に取り付ければよいので、インナー４２は、市販のままで使用できる。なお、水分検出用ＲＦＩＤタグユニット３７ｂの取り付けはおむつの装着時に介護者が行うことができる。また、アウター４４は、内側にも外側にも何も取り付ける必要がなく市販のままの状態で使用できる。
【００８６】
なお、水分検出用ＲＦＩＤタグユニット３７ｂにおいて、中継アンテナ２０ｋの支持材３８の厚みが厚い場合、インナー４２の水分の影響を受け難く、読み取り距離が長くなる。一方、中継アンテナ２０ｋの支持材３８の厚みが薄い場合、インナー４２の水分の影響を受け易く、読み取り距離は短くなる。
【００８７】
（実施の形態１１）
図２９（ａ）は、実施の形態１１に係る水分検出用ＲＦＩＤタグ付きおむつを構成するインナー４２の外側を示す概略図である。図２９（ｂ）は、アウター４４の外側を示す概略図である。図２９（ｃ）は、インナー４２の内側を示す概略図である。図２９（ｄ）は、アウター４４の内側を示す概略図である。
この水分検出用ＲＦＩＤタグ付きおむつでは、インナー４２とアウター４４とを備え、ＲＦＩＤタグ１０ｎと中継アンテナ２０ｋとを含む一体型の水分検出用ＲＦＩＤタグユニット３７ｂをインナー４２の外側に斜めに配置している。つまり、要介護者の状態に合わせ、最適な位置にＲＦＩＤタグを設置することができる。この場合において、読み取りのための中継アンテナ２０ｋを背面部から股下部を介して前面部に延在させることができる。これによって、読み取り位置も、介護者の希望する位置、例えば、前面部のおへそ付近で読み取りができる。
なお、中継アンテナ２０ｋのうち、ＲＦＩＤタグと中継アンテナが直接人体と触れない場合は、支持体３８の厚みによっては、「腰部」など、人体と触れさせることもできる。例えば、支持体３８は、吸収体１枚分の厚みを有することが好ましい。
また、上記のように水分検出用ＲＦＩＤタグユニット３７ｂを市販のインナー４２に取り付ければよいので、インナー４２は、市販のままで使用できる。なお、水分検出用ＲＦＩＤタグユニット３７ｂの取り付けはおむつの装着時に介護者が行うことができる。また、アウター４４は、内側にも外側にも何も取り付ける必要がなく市販のままの状態で使用できる。
【００８８】
（実施の形態１２）
図３０（ａ）は、実施の形態１２に係る水分検出用ＲＦＩＤタグ付きおむつを構成するインナー４２の外側を示す概略図である。図３０（ｂ）は、アウター４４の外側を示す概略図である。図３０（ｃ）は、インナー４２の内側を示す概略図である。図３０（ｄ）は、アウター４４の内側を示す概略図である。
この水分検出用ＲＦＩＤタグ付きおむつでは、インナー４２とアウター４４とを備え、ＲＦＩＤタグ１０ｎと中継アンテナ２０ｋとを含む２本の一体型の水分検出用ＲＦＩＤタグユニット３７ｂ、３７ｃをインナー４２の外側に並列配置している。具体的には、２本の水分検出用ＲＦＩＤタグユニット３７ｂ、３７ｃのそれぞれのＲＦＩＤタグ１０ｎがインナー４２の外側の背面部の両端、およそ吸収上限位置４５にそれぞれ配置されるようにする。なお、ＲＦＩＤタグ１０ｎの取り付け位置は、上記吸収上限位置４５に限られず、例えば、対象介護者の尿漏れ等が生じやすい位置であってもよい。なお、２本に限られず、複数本の水分検出用ＲＦＩＤタグユニットを用いてもよい。複数本の一体型の水分検出用ＲＦＩＤタグユニットを用いた場合には、さらに複数箇所にＲＦＩＤタグを配置できる。
一方、２本の水分検出用ＲＦＩＤタグユニット３７ｂ、３７ｃの途中から折り曲げて、それぞれの中継アンテナ２０ｋを並列配置させている。
なお、ＲＦＩＤタグ１０ｎの読み取りに関しては、２本の水分検出用ＲＦＩＤタグユニット３７ｂ、３７ｃの前面部の、例えばおへそ付近で中継アンテナ２０ｋを介してハンディリーダで読み取りを行うことができる。
【００８９】
また、上記のように水分検出用ＲＦＩＤタグユニット３７ｂ、３７ｃを市販のインナー４２に取り付ければよいので、インナー４２は、市販のままで使用できる。なお、水分検出用ＲＦＩＤタグユニット３７ｂ、３７ｃの取り付けはおむつの装着時に介護者が行うことができる。また、アウター４４は、内側にも外側にも何も取り付ける必要がなく市販のままの状態で使用できる。
さらに、水分検出用ＲＦＩＤタグユニット３７ｂ、３７ｃは、介護者が中継アンテナ２０ｋの任意の箇所を切断して、全体の長さを任意の長さに変更することができる。これによって、水分検出用ＲＦＩＤタグユニット３７ｂ、３７ｃを複数種類持つ必要が無く、コストを低減することができる。
【００９０】
（実施の形態１３）
図３１（ａ）は、実施の形態１３に係る水分検出用ＲＦＩＤタグ付きおむつを構成するインナー４２の外側を示す概略図である。図３１（ｂ）は、アウター４４の外側を示す概略図である。図３１（ｃ）は、インナー４２の内側を示す概略図である。図３１（ｄ）は、アウター４４の内側を示す概略図である。
この水分検出用ＲＦＩＤタグ付きおむつでは、インナー４２とアウター４４とを備え、ＲＦＩＤタグ１０ｎと中継アンテナ２０ｋとを含む一体型の水分検出用ＲＦＩＤタグユニット３７ｂをインナー４２の外側に配置している。さらに、中継アンテナ２０ｋとＲＦＩＤによる通信可能なＲＦＩＤリーダ及び無線伝達ユニット４６を中継アンテナ２０ｋの近傍に配置している。ＲＦＩＤリーダ及び無線伝達ユニット４６は、一体型であっても、あるいはＲＦＩＤリーダと無線伝達ユニットとを別体で構成していてもよい。また、ＲＦＩＤリーダ及び無線伝達ユニット４６は、例えば、前面部のおへそ付近に配置してもよい。
【００９１】
この水分検出用ＲＦＩＤタグ付きおむつでは、読み取りにＲＦＩＤリーダ及び無線伝達ユニット４６を配置し、例えば、Ｂｌｕｅｔｏｏｔｈ（登録商標）やＷｉＦｉ（登録商標）でリアルタイムに外部の介護者に伝えることができる。つまり、ＲＦＩＤタグ１０ｎの情報を無線伝送によって伝達できるので、必ずしも中継アンテナ２０ｋで人体前面に信号を導く必要がない。しかし、ＲＦＩＤタグ１０ｎの直上にＲＦＩＤリーダを置くと、たとえインナー４２に水分が存在しても読み取りが可能であるため検知システムとしては機能しない。つまり、水分検出にあたっては、ＲＦＩＤリーダ及び無線伝達ユニット４６は、ＲＦＩＤタグ１０ｎと直接的にではなく、ＲＦＩＤタグ１０ｎから「中継アンテナ」を介して間接的に読み取ることが必要である。
なお、読み取りにＲＦＩＤリーダ及び無線伝達ユニット４６を配置しているので、リアルタイムに介護者及び／又は要介護者に伝えることができる。また、データの自動収集もできる。さらに、「ＲＦＩＤ及び無線伝達」のユニット４６は、「ＲＦＩＤタグ及び中継アンテナ」の水分検出用ＲＦＩＤタグユニット３７ｂとは分離した構造とし、例えば、「ボタン」／「テープ」／「挟み込み」などにより固定してもよい。両者を分離した構造とすることで、「ＲＦＩＤタグ及び中継アンテナ」の水分検出用ＲＦＩＤタグユニット３７ｂが故障したときは、その交換だけでよく、コストアップを抑制出来る。  また、このユニットにメチルメルカプタンなど、便に含まれる臭いを検知する臭いセンサを追加することで、便の検知も可能となる。
【００９２】
また、上記のように水分検出用ＲＦＩＤタグユニット３７ｂを市販のインナー４２に取り付ければよいので、インナー４２は、市販のままで使用できる。なお、水分検出用ＲＦＩＤタグユニット３７ｂの取り付けはおむつの装着時に介護者が行うことができる。また、アウター４４は、内側にも外側にも何も取り付ける必要がなく市販のままの状態で使用できる。さらに、ＲＦＩＤリーダ及び無線伝達ユニット４６との取り付けについても、おむつの装着時に介護者が行うことができる。
【００９３】
図３２（ａ）は、実施の形態１３の変形例に係る水分検出用ＲＦＩＤタグ付きおむつを構成するインナー４２の外側を示す概略図である。図３２（ｂ）は、アウター４４の外側を示す概略図である。図３２（ｃ）は、インナー４２の内側を示す概略図である。図３２（ｄ）は、アウター４４の内側を示す概略図である。
この水分検出用ＲＦＩＤタグ付きおむつでは、図３１の水分検出用ＲＦＩＤタグ付きおむつと対比すると、ＲＦＩＤリーダ及び無線伝達ユニット４６をインナー４２ではなくアウター４４の外側に配置している点で相違する。つまり、ＲＦＩＤリーダ及び無線伝達ユニット４６は、アウター４４の外側に配置してもよい。
【００９４】
図３３（ａ）は、実施の形態１３のさらに他の変形例に係る水分検出用ＲＦＩＤタグ付きおむつを構成するインナー４２の外側を示す概略図である。図３３（ｂ）は、アウター４４の外側を示す概略図である。図３３（ｃ）は、インナー４２の内側を示す概略図である。図３３（ｄ）は、アウター４４の内側を示す概略図である。
この水分検出用ＲＦＩＤタグ付きおむつでは、図３１の水分検出用ＲＦＩＤタグ付きおむつと対比すると、水分検出用ＲＦＩＤタグユニット３７ｂをアウター４４の外側の背面部の腰部に沿って配置している点で相違する。さらに、中継アンテナ２０ｋとＲＦＩＤによる通信可能なＲＦＩＤリーダ及び無線伝達ユニット４６を中継アンテナ２０ｋの近傍の腰部に配置している点で相違する。つまり、背中側（背面部）だけに、「ＲＦＩＤタグ及び中継アンテナ」の水分検出用ＲＦＩＤタグユニット３７ｂと、ＲＦＩＤリーダ及び無線伝達ユニット４６を取り付けておき、前面部のおへそ側には信号を導かないシステムを構築してもよい。
【００９５】
（実施の形態１４）
図３４（ａ）は、実施の形態１４に係る水分検出用ＲＦＩＤタグ付きおむつを構成するインナー４２の外側を示す概略図である。図３４（ｂ）は、パンツ型アウター４４ａの外側を示す概略図である。図３４（ｃ）は、インナー４２の内側を示す概略図である。
この水分検出用ＲＦＩＤタグ付きおむつでは、インナー４２とパンツ型アウター４４ａとを備え、ＲＦＩＤタグ１０ｎと中継アンテナ２０ｋとを含む一体型の水分検出用ＲＦＩＤタグユニット３７ｂをインナー４２の外側に配置している。水分検出用ＲＦＩＤタグユニット３７ｂは、インナー４２の外側の背面部から股下部を介して前面部にわたって延在させている。水分検出用ＲＦＩＤタグユニット３７ｂのＲＦＩＤタグ１０は、インナー４２の外側の面に対向させている。ＲＦＩＤタグ１０ｎの読み取りは、例えば、水分検出用ＲＦＩＤタグユニット３７ｂの中継アンテナ２０ｋを介して前面部のおへそ付近でハンディリーダによって行うことができる。なお、読み取りに、ハンディリーダに代えて上記のＲＦＩＤリーダ及び無線伝達ユニットを用いてもよい。
【００９６】
この水分検出用ＲＦＩＤタグ付きおむつでは、パンツ型形状を有するパンツ型アウター４４ａ、例えば布製アウターを適用する場合について示している。なお、「パンツ型形状」とは、通常のパンツと同様に円筒部分の本体の一端に胴部分が入る一つの開口部を有し、他端に脚部が入る２つの開口部を有する形状である。例えば、紙製のインナー４２と布製のパンツ型アウター４４ａとを組み合わせて用いてもよい。この「布製アウター」４４ａは、「インナーの体に対する密着性」が高く、十分な検知精度を有する。つまり、「布製アウター」４４ａによれば「人体」と「吸収体水分」と「ＲＦＩＤタグ」との経路が繋がり易い。
【００９７】
また、上記のように水分検出用ＲＦＩＤタグユニット３７ｂを市販のインナー４２に取り付ければよいので、インナー４２は、市販のままで使用できる。なお、水分検出用ＲＦＩＤタグユニット３７ｂの取り付けはおむつの装着時に介護者が行うことができる。また、パンツ型アウター４４ａは、内側にも外側にも何も取り付ける必要がなく市販のままの状態で使用できる。
【００９８】
図３５（ａ）は、実施の形態１４の変形例に係る水分検出用ＲＦＩＤタグ付きおむつを構成するインナー４２の外側を示す概略図である。図３５（ｂ）は、パンツ型アウター４４ａの外側を示す概略図である。図３５（ｃ）は、インナー４２の内側を示す概略図である。図３６は、読み取りにＲＦＩＤリーダ及び無線伝達ユニット４６を用いる場合を示す概略図である。
この水分検出用ＲＦＩＤタグ付きおむつでは、図３４の水分検出用ＲＦＩＤタグ付きおむつと対比すると、水分検出用ＲＦＩＤタグユニット３７ｂをインナー４２ではなく、パンツ型アウター４４ａの内側に配置している点で相違する。具体的には、水分検出用ＲＦＩＤタグユニット３７ｂをパンツ型アウター４４ａの内側の背面部から股下部を介して前面部まで延在させて配置している。このように水分検出用ＲＦＩＤタグユニット３７ｂを「布製アウター４４ａの内側に常設」させることによって、介護者の毎回の付け外しが不要となる。なお、読み取りは、図３６に示すように、ハンディリーダに代えて、例えばＲＦＩＤリーダ及び無線伝達ユニット４６でもよい。
【００９９】
（実施の形態１５）
図３７（ａ）は、実施の形態１５に係る水分検出用ＲＦＩＤタグ付きおむつを構成するインナー４２の外側を示す概略図である。図３７（ｂ）は、パンツ型アウター４４ａの外側を示す概略図である。図３７（ｃ）は、インナー４２の内側を示す概略図である。図３８は、読み取りにＲＦＩＤリーダ及び無線伝達ユニット４６を用いる場合を示す概略図である。
この水分検出用ＲＦＩＤタグ付きおむつでは、インナー４２とパンツ型アウター（例えば、布製アウター）４４ａとを備える。ＲＦＩＤタグ１０は、パンツ型アウター４４ａの内側の背面部に配置している。また、中継アンテナ２０ｌをパンツ型アウター４４ａの外側の背面部から股下部を介して前面部まで延在するように配置している。ＲＦＩＤタグ１０ｎの読み取りは、例えば、中継アンテナ２０ｌを介して前面部のおへそ付近でハンディリーダによって行うことができる。なお、読み取りに、図３８に示すように、ハンディリーダに代えて上記のＲＦＩＤリーダ及び無線伝達ユニット４６を用いてもよい。
【０１００】
この水分検出用ＲＦＩＤタグ付きおむつでは、パンツ型アウターの一例である布製アウター４４ａの外側に中継アンテナを取り付けることで、「布製アウター４４ａの布厚」を利用することができる。つまり、中継アンテナ２０ｌはインナー４２と直接接することがなく、インナー４２の水分の中継アンテナ２０ｌに対する影響を、最小化することができる。
【０１０１】
また、上記のように水分検出用ＲＦＩＤタグユニット３７ｂを市販のインナー４２に取り付ければよいので、インナー４２は、市販のままで使用できる。なお、水分検出用ＲＦＩＤタグユニット３７ｂの取り付けはおむつの装着時に介護者が行うことができる。また、パンツ型アウター４４ａは、内側にも外側にも何も取り付ける必要がなく市販のままの状態で使用できる。
【０１０２】
また、インナー４２は、内側にも外側にも何も取り付ける必要がなく市販のままの状態で使用できる。
一方、パンツ型アウター４４ａの中継アンテナ２０ｌは、例えば、出荷段階でおむつメーカーが取り付けるか、もしくは介護者が取り付けてもよい。また、パンツ型アウター４４ａの内側のＲＦＩＤタグ１０は、例えば、出荷段階でおむつメーカーが取り付けるか、もしくは介護者が取り付けてもよい。
【０１０３】
（実施の形態１６）
図３９（ａ）は、実施の形態１６に係る水分検出用ＲＦＩＤタグ付きおむつを構成するインナー４２の外側を示す概略図である。図３９（ｂ）は、アウター４４の外側を示す概略図である。図３９（ｃ）は、インナー４２の内側を示す概略図である。図３９（ｄ）は、アウター４４の内側を示す概略図である。図４０は、読み取りにＲＦＩＤリーダ及び無線伝達ユニット４６を用いる場合を示す概略図である。
この水分検出用ＲＦＩＤタグ付きおむつでは、インナー４２とアウター４４とを備える。ＲＦＩＤタグ１０は、インナー４２の外側に配置している。なお、ＲＦＩＤタグ１０は、単体又は保持材で保持してもよい。中継アンテナ２０ｍは、インナー４２の外側の背面部から股下部を介して前面部まで延在するように配置している。また、ＲＦＩＤタグ１０の読み取りは、例えば、ハンディリーダによって中継アンテナ２０ｍを介して行うことができる。なお、読み取りに、図４０に示すように、ハンディリーダに代えて上記のＲＦＩＤリーダ及び無線伝達ユニットを用いてもよい。
【０１０４】
この水分検出用ＲＦＩＤタグ付きおむつでは、おむつにＲＦＩＤタグ１０と中継アンテナ２０ｌとを別々に設けている。それぞれを単体で設けておくことで、いずれか一方に故障等の不具合が生じたときでも、その修繕や交換が容易になる。また、ＲＦＩＤタグ１０及び中継アンテナ２０ｍの、取り付け制約が無く、取り付け位置の自由度が高い。
【０１０５】
（実施の形態１７）
図４１（ａ）は、実施の形態１７に係る水分検出用ＲＦＩＤタグ付きおむつを構成するインナー４２の外側を示す概略図である。図４１（ｂ）は、アウター４４の外側を示す概略図である。図４１（ｃ）は、インナー４２の内側を示す概略図である。図４１（ｄ）は、アウター４４の内側を示す概略図である。
この水分検出用ＲＦＩＤタグ付きおむつでは、インナー４２とアウター４４とを備える。ＲＦＩＤタグ１０ｎと中継アンテナ２０ｋとを含む一体型の水分検出用ＲＦＩＤタグユニット３７ｂをインナー４２の外側の背面側の腰部に沿って配置している。水分検出用ＲＦＩＤタグユニット３７ｂのＲＦＩＤタグ１０ｎは、インナー４２の外側の背面側の吸収上限位置４５に対向させて配置されている。中継アンテナ２０ｎは、インナー４２の外側の背面部から股下部を介して前面部まで延在するように配置している。この中継アンテナ２０ｎは、水分検出用ＲＦＩＤタグユニット３７ｂの中継アンテナ２０ｋと対向して配置されており、直接接続又は容量結合している。つまり、この中継アンテナ２０ｎは、中継アンテナ２０ｋからさらに中継するためのものである。また、ＲＦＩＤタグ１０ｎの読み取りは、例えば、ハンディリーダによって水分検出用ＲＦＩＤタグユニット３７ｂと中継アンテナ２０ｎとを介して行うことができる。
【０１０６】
この水分検出用ＲＦＩＤタグ付きおむつでは、一体型の水分検出用ＲＦＩＤタグユニット３７ｂと中継アンテナ２０ｎとを組み合わせて配置している。そこで、両者の取り付け位置の自由度が高い。なお、上記の中継アンテナ２０ｎは、バッテリを有しておらず、中継用アンテナのみを備えた「中継のためだけ」の中継アンテナユニットである。
【０１０７】
また、上記のように水分検出用ＲＦＩＤタグユニット３７ｂ及び中継アンテナ２０ｎを市販のインナー４２に取り付ければよいので、インナー４２は、市販のままで使用できる。なお、水分検出用ＲＦＩＤタグユニット３７ｂ及び中継アンテナ２０ｎの取り付けはおむつの装着時に介護者が行うことができる。また、アウター４４は、内側にも外側にも何も取り付ける必要がなく市販のままの状態で使用できる。
【０１０８】
（実施の形態１８）
図４２は、実施の形態１８に係るＲＦＩＤタグ付きおむつの断面構成を示す概略断面図である。図４３（ａ）は、実施の形態１８に係るＲＦＩＤタグ付きおむつを構成するインナー４２の外側を示す概略図である。図４３（ｂ）は、アウター４４の外側を示す概略図である。図４３（ｃ）は、インナー４２の内側を示す概略図である。図４３（ｄ）は、アウター４４の内側を示す概略図である。図４４（ａ）は、実施の形態１８の別例に係るＲＦＩＤタグ付きおむつを構成するインナー４２の外側を示す概略図である。図４４（ｂ）は、アウター４４の外側を示す概略図である。図４４（ｃ）は、インナー４２の内側を示す概略図である。図４４（ｄ）は、アウター４４の内側を示す概略図である。
【０１０９】
実施の形態１８に係るＲＦＩＤタグ付きおむつでは、おむつはインナー４２とアウター４４とを有する。また、アウター４４の内側にＲＦＩＤタグ１０を配置し、アウター４４の外側にＲＦＩＤタグ１０の一方のアンテナ素子とアウター４４を介して容量結合するように中継アンテナ２０を配置している。
なお、図４２では、図４４に示すようにＲＦＩＤタグ１０のアンテナ素子の長軸と中継アンテナ２０の長軸とが互いに一致している場合の断面を示している。一方、図４３に示すようにＲＦＩＤタグ１０のアンテナ素子の長軸と中継アンテナ２０の長軸とが互いに直交している場合についてはその断面図を省略している。
【０１１０】
図４５（ａ）は、実施の形態１８に係るＲＦＩＤタグ付きおむつの乾燥状態でのリーダ４０との通信における伝送信号Ｓの経路を示す概略断面図である。図４５（ｂ）は、人体６０、ＲＦＩＤタグ１０及び中継アンテナ２０によって構成される回路図である。図４６（ａ）は、実施の形態１８に係るＲＦＩＤタグ付きおむつの吸水状態でのリーダ４０との通信における伝送信号Ｓの経路を示す概略断面図である。図４６（ｂ）は、人体６０、水分５４、ＲＦＩＤタグ１０及び中継アンテナ２０によって構成される回路図である。
上記の回路図において、人体６０はグランドとして示している。また、水分５４は容量として表している。伝送信号Ｓは、伝送方向を太線の矢印で表している。なお、回路図においては、例えば、人体６０、水分５４、ＲＦＩＤタグ１０のアンテナ素子、中継アンテナ２０のそれぞれの間に形成される主要な回路のみを示している。
【０１１１】
おむつの乾燥状態では、図４５（ｂ）の回路図に示すように、伝送信号Ｓは、ＲＦＩＤタグ１０とリーダ４０との間で中継アンテナ２０を介して伝送され、通信可能な状態となっている。この場合、人体６０と、ＲＦＩＤタグ１０及び中継アンテナ２０との回路のインピーダンスは高く、伝送信号Ｓは人体６０へ伝わり難い。
一方、おむつの吸水状態では、インナー４２の内部に水分５４が存在する。この場合、図４６（ｂ）の回路図に示すように、リーダ４０からの伝送信号Ｓは、中継アンテナ２０と水分５４とを介して人体６０へ流れてしまう。この場合、人体６０と中継アンテナ２０との回路のインピーダンスが低くなっており、リーダ４０からの伝送信号ＳはＲＦＩＤタグ１０へ届かなくなる。このためＲＦＩＤタグ１０とリーダ４０との間の通信はできなくなる。
ＲＦＩＤタグ１０と中継アンテナ２０とはアウター４４を介して容量結合している。ＲＦＩＤタグ１０と中継アンテナ２０との容量結合に対応するインナー４２中の箇所に水分５４が存在すると、人体６０と中継アンテナ２０との回路のインピーダンスが低くなる。そのため、リーダ４０からの伝送信号Ｓは人体へと流れて（逃げて）しまい、ＲＦＩＤタグ１０へは届かなくなる。
【０１１２】
（参考例１）
図４７（ａ）は、参考例１に係るＲＦＩＤタグ付きおむつの吸水状態でのリーダ４０との通信における伝送信号Ｓの経路を示す概略断面図である。図４７（ｂ）は、水分５４、ＲＦＩＤタグ１０及び中継アンテナ２０によって構成される回路図である。
この参考例１に係るＲＦＩＤタグ付きおむつは、実施の形態１８と対比すると、人体が存在しない点で相違する。
図４７（ｂ）の回路図に示すように、人体が存在しない場合には、たとえＲＦＩＤタグ１０と中継アンテナ２０との容量結合の箇所に対応するインナー４２内部の箇所に水分５４が存在してもリーダ４０からの伝送信号Ｓは中継アンテナ２０からＲＦＩＤタグへと流れる。そこで、ＲＦＩＤタグ１０とリーダ４０との間で中継アンテナ２０を介して通信が可能である。
【０１１３】
（参考例２）
図４８（ａ）は、参考例２に係るＲＦＩＤタグ付きおむつの吸水状態でのリーダ４０との通信における伝送信号Ｓの経路を示す概略断面図である。図４８（ｂ）は、人体６０、水分５４、ＲＦＩＤタグ１０及び中継アンテナ２０によって構成される回路図である。  この参考例２に係るＲＦＩＤタグ付きおむつでは、実施の形態１８と対比すると、アウター４４がなく、ＲＦＩＤタグ１０と中継アンテナ２０とが容量結合ではなく直接接続されている点で相違する。
参考例２に係るＲＦＩＤタグ付きおむつでは、図４８（ｂ）の回路図に示すように、ＲＦＩＤタグ１０と中継アンテナ２０とが直接接続されている。また、インナー４２内部のＲＦＩＤタグ１０と中継アンテナ２０との容量結合の箇所に水分５４が存在している。しかし、この場合には、ＲＦＩＤタグ１０と中継アンテナ２０との直接接続のインピーダンスのほうが中継アンテナ２０と水分５４を介した人体６０への回路のインピーダンスより低い。つまり、リーダ４０からの伝送信号Ｓは、中継アンテナ２０からＲＦＩＤタグ１０へと流れる。そこで、ＲＦＩＤタグ１０とリーダ４０との間で中継アンテナ２０を介して通信が可能である。
【０１１４】
なお、ＲＦＩＤタグ１０と中継アンテナ２０との接続が直接接続である場合とは、中継アンテナ２０とＲＦＩＤタグ１０とが物理的に密接している場合だけでなく、中継アンテナ２０とＲＦＩＤタグ１０との接続部分がはんだ等を介して電気的接続している場合であってもよい。さらに、例えば、中継アンテナ２０とＲＦＩＤタグ１０とが微小ギャップでの接続状態にある場合であってもよい。
【０１１５】
（参考例３）
図４９（ａ）は、参考例３に係るＲＦＩＤタグ付きおむつの吸水状態でのリーダ４０との通信における伝送信号Ｓの経路を示す概略断面図である。図４９（ｂ）は、人体６０、水分５４、ＲＦＩＤタグ１０及び中継アンテナ２０によって構成される回路図である。
この参考例３に係るＲＦＩＤタグ付きおむつは、実施の形態１８と対比すると、中継アンテナ２０と容量結合しているＲＦＩＤタグ１０のアンテナ素子と反対側のアンテナ素子の側に水分５４が存在している点で相違する。
参考例３に係るＲＦＩＤタグ付きおむつでは、図４９（ｂ）の回路図に示すように、中継アンテナ２０と容量結合しているアンテナ素子とは逆側のアンテナ素子は、水分５４を介した人体６０への回路のインピーダンスが低い。しかし、リーダ４０からの伝送信号Ｓは、中継アンテナ２０を介してＲＦＩＤタグ１０に届くので、ＲＦＩＤタグ１０とリーダ４０との間で中継アンテナ２０を介して通信が可能である。
【０１１６】
（実施の形態１９）
図５０（ａ）は、実施の形態１９に係るＲＦＩＤタグ付きおむつの吸水状態でのリーダ４０との通信における伝送信号Ｓの経路を示す概略断面図である。図５０（ｂ）は、人体６０、水分５４、ＲＦＩＤタグ１０及び中継アンテナ２０によって構成される回路図である。
実施の形態１９に係るＲＦＩＤタグ付きおむつは、実施の形態１８に係るＲＦＩＤタグ付きおむつと対比すると、水分５４がＲＦＩＤタグ１０の２つのアンテナ素子の間のスリット部分のみに存在している点で相違する。
実施の形態１９に係るＲＦＩＤタグ付きおむつでは、図５０（ｂ）の回路図に示すように、それぞれのアンテナ素子と人体６０との間の水分５４を介した回路のインピーダンスが乾燥状態に比べて低い。また、それぞれのアンテナ素子と人体６０とは、水分５４を介してそれぞれ容量を形成している。その結果、水分による回路の影響で、ＲＦＩＤタグの共振周波数が乾燥状態の共振周波数から大きくずれてしまい、通信不可能になる。この場合、ＲＦＩＤタグ１０の２つのアンテナ素子の間のスリット部分のみに存在する水分５４の存在を検知できる。
【０１１７】
（実施の形態２０）
図５１（ａ）は、実施の形態２０に係るＲＦＩＤタグ付きおむつの吸水状態でのリーダ４０との通信における伝送信号Ｓの経路を示す概略断面図である。図５１（ｂ）は、水分５４、ＲＦＩＤタグ１０及び中継アンテナ２０によって構成される回路図である。
実施の形態２０に係るＲＦＩＤタグ付きおむつは、実施の形態１９に係るＲＦＩＤタグ付きおむつと対比すると、人体が存在しない点で相違する。
実施の形態２０に係るＲＦＩＤタグ付きおむつでは、図５１（ｂ）の回路図に示すように、２つのアンテナ素子は水分５４を介して容量を形成している。その結果、水分による回路の影響で、ＲＦＩＤタグの共振周波数が乾燥状態の共振周波数からずれてしまい、通信不可能になる。この場合、ＲＦＩＤタグ１０の２つのアンテナ素子の間のスリット部分のみに存在する水分５４の存在を検知できる。
【０１１８】
（実施の形態２１）
図５２（ａ）は、実施の形態２１に係るＲＦＩＤタグ付きおむつの吸水状態でのリーダ４０との通信における伝送信号Ｓの経路を示す概略断面図である。図５２（ｂ）は、人体６０、水分５４、ＲＦＩＤタグ１０及び中継アンテナ２０によって構成される回路図である。
実施の形態２１に係るＲＦＩＤタグ付きおむつは、実施の形態１９に係るＲＦＩＤタグ付きおむつと対比すると、水分５４がＲＦＩＤタグ１０の２つのアンテナ素子の間のスリット部分に水分５４が存在するだけでなく、ＲＦＩＤタグ１０と中継アンテナ２０との容量結合の箇所まで水分５４が存在している点で相違する。
実施の形態２１に係るＲＦＩＤタグ付きおむつでは、図５２（ｂ）の回路図に示すように、それぞれのアンテナ素子と人体６０との間の水分５４を介した回路のインピーダンスが乾燥状態に比べて大幅に低い。また、それぞれのアンテナ素子と人体６０とは、水分５４を介してそれぞれ容量を形成している。その結果、水分による回路の影響で、ＲＦＩＤタグの共振周波数が乾燥状態の共振周波数から大きくずれてしまう。さらに、ＲＦＩＤタグ１０と中継アンテナ２０との容量結合の箇所において、人体６０と中継アンテナ２０との回路のインピーダンスが大幅に低くなるため、リーダ４０からの伝送信号Ｓは人体６０へ流れて（逃げて）しまい、ＲＦＩＤタグ１０へは届かなくなる。その結果、共振周波数のずれとインピーダンス低下による伝送信号Ｓの人体への逃げとの２つの効果によって通信不可能になる。この場合、ＲＦＩＤタグ１０の２つのアンテナ素子の間のスリット部分及びアンテナ素子と中継アンテナとの容量結合の箇所に存在する水分５４の存在をより確実に検知できる。
【０１１９】
（実施の形態２２）
図５３（ａ）は、実施の形態２２に係るＲＦＩＤタグ付きおむつの吸水状態でのリーダ４０との通信における伝送信号Ｓの経路を示す概略断面図である。図５３（ｂ）は、人体６０、水分５４、ＲＦＩＤタグ１０及び中継アンテナ２０によって構成される回路図である。
実施の形態２２に係るＲＦＩＤタグ付きおむつは、実施の形態１８に係るＲＦＩＤタグ付きおむつと対比すると、水分５４がＲＦＩＤタグ１０と中継アンテナ２０との容量結合の箇所ではなく、中継アンテナ２０の中間部分に対応するインナー４２の内部に水分５４が存在している点で相違する。
実施の形態２２に係るＲＦＩＤタグ付きおむつでは、図５３（ｂ）の回路図に示すように、中継アンテナ２０の中間部分と人体６０との間のインナー４２中の水分５４を介した回路において、インナー４２の水分５４を含む回路のインピーダンスは低いが、乾燥状態のアウター４４を挟む回路のインピーダンスは高い。そのため、リーダ４０からの伝送信号Ｓは、人体６０に逃げることなくＲＦＩＤタグ１０に届く。その結果、中継アンテナ２０の中間部分に対応するインナー４２の内部に水分５４が存在しても、アウター４４を介している場合には水分５４の影響を受けにくく、ＲＦＩＤタグ１０とリーダ４０との間で通信できる。
【０１２０】
（参考例４）
図５４（ａ）は、参考例４に係るＲＦＩＤタグ付きおむつの吸水状態でのリーダ４０との通信における伝送信号Ｓの経路を示す概略断面図である。図５４（ｂ）は、人体６０、水分５４、ＲＦＩＤタグ１０及び中継アンテナ２０によって構成される回路図である。
参考例４に係るＲＦＩＤタグ付きおむつは、実施の形態２２に係るＲＦＩＤタグ付きおむつと対比すると、アウターを有することなく、水分５４が中継アンテナ２０の中間部分と面している点で相違する。
参考例４に係るＲＦＩＤタグ付きおむつでは、図５４（ｂ）の回路図に示すように、中継アンテナ２０の中間部分と人体６０との間のインナー４２中の水分５４を介した回路のインピーダンスが低い。そのため、リーダ４０からの伝送信号Ｓが人体６０に逃げてしまい、ＲＦＩＤタグ１０へは届かなくなる。その結果、通信不可能となる。
【０１２１】
＜水分の存在箇所による影響についての考察＞
図５５は、ＲＦＩＤタグと中継アンテナとの容量結合の箇所又はＲＦＩＤタグのスリット部分に対応する箇所に存在する水分の影響について説明するための周波数と伝送出力との関係の一例を示すグラフである。
図５５では、実施の形態１８に係るＲＦＩＤタグ付きおむつにおける乾燥状態（Ｍ）とＲＦＩＤタグ１０と中継アンテナ２０との容量結合の箇所に対応する箇所の吸水状態（１−１）と、参考例１に係るＲＦＩＤタグ付きおむつにおけるＲＦＩＤタグ１０と中継アンテナ２０との容量結合の箇所に対応する箇所の吸水状態（１−２）と、実施の形態１９に係るＲＦＩＤタグ付きおむつにおけるＲＦＩＤタグ１０と中継アンテナ２０との容量結合の箇所に対応する箇所の吸水状態（３−１）と、実施の形態２０に係るＲＦＩＤタグ付きおむつにおけるＲＦＩＤタグ１０と中継アンテナ２０との容量結合の箇所に対応する箇所の吸水状態（３−２）と、の周波数と伝送出力との関係を示している。なお、実施の形態２０に係る吸水状態（３−１）の伝送出力は大きく減衰したために図５５では表示されていない。
【０１２２】
＜ＲＦＩＤタグと中継アンテナとの容量結合の箇所に対応する水分の影響について＞
図５５に示すように、伝送出力（Ｍ）と（１−１）とを対比すると、ＲＦＩＤタグ１０と中継アンテナ２０との容量結合の箇所に対応する箇所に水分５４が存在する（１−１）と、伝送出力が大きく減衰して、通信が困難となることがわかる。これはＲＦＩＤタグ１０と中継アンテナ２０との容量結合の箇所に対応する箇所に水分５４が存在すると、中継アンテナ２０と人体６０との水分５４を介した回路のインピーダンスが低下するためであると考えられる。なお、人体が存在しない場合（１−２）には、伝送信号Ｓの逃げる先である人体がないため伝送出力がほとんど変化しない。
【０１２３】
＜ＲＦＩＤタグのスリット部分に対応する箇所に存在する水分の影響について＞
図５５に示すように、伝送出力（３−１）と（３−２）とを対比すると、ＲＦＩＤタグのスリット部分に対応する箇所に水分５４が存在すると、ＲＦＩＤタグ１０の２つのアンテナ素子の間の水分５４を介した容量の影響によって、共振周波数が乾燥状態の共振周波数からがずれて通信が困難となることがわかる。例えば、９２０ＭＨｚでの読み取りの場合、伝送出力が大幅に低下する。なお、人体が存在しない場合（３−２）であっても水分の影響による共振周波数のずれが生じるため、ＲＦＩＤタグのスリット部分に対応する箇所の水分を検知できる。
【０１２４】
＜中継アンテナに対するＲＦＩＤタグの取り付け方向について＞
図５５に示すように、伝送出力（１−１）と（３−１）とを対比すると、水分５４の存在に対してより感度が高いのは、ＲＦＩＤタグ１０と中継アンテナ２０との容量結合の箇所に対応する箇所に水分５４が存在する場合（１−１）よりも、ＲＦＩＤタグのスリット部分に対応する箇所に水分が存在する場合（３−１）であることがわかる。
一方、中継アンテナ２０に対するＲＦＩＤタグ１０の取り付け方向としては、図４３（ｂ）及び（ｄ）に示すように、互いに交差させて配置する場合と、図４４（ｂ）及び（ｄ）に示すように、同一方向に配置する場合とがある。ＲＦＩＤタグ１０を中継アンテナ２０と同一方向に配置した場合、スリット部分より容量結合の箇所で先に検知するため、おむつの吸水上限よりも前に水分検知をする場合がある。そのため、おむつの吸水上限を正確に検知できない場合がある。
そこで、中継アンテナ２０に対するＲＦＩＤタグ１０の取り付け方向としては、互いに交差させて配置する場合がより好ましい。また、ＲＦＩＤタグ１０の端は、例えばおむつ３０の中心線上に置いてもよい。さらに、中継アンテナ２０は、おむつ３０の中心線上においてもよい。
【０１２５】
＜中継アンテナの中間部分に対応する箇所の水分の影響について＞
図５６は、中継アンテナ２０の中間部分に対応する箇所に存在する水分の影響について説明するための周波数と伝送出力との関係の一例を示すグラフである。
図５６には、実施の形態１８に係るＲＦＩＤタグ付きおむつにおける乾燥状態（Ｍ）と、実施の形態２２に係るＲＦＩＤタグ付きおむつにおいて、中継アンテナ２０の中間部分に対応するインナー４２の内部に水分５４が存在している吸水状態（５−１）と、上記吸水状態（５−１）で人体のない場合（５−３）と、の周波数と伝送出力との関係を示している。
【０１２６】
図５６に示すように、中継アンテナ２０の中間部分に対応するインナー４２の内部に水分５４が存在（５−１）しても、アウター４４を介している場合には水分５４の影響を受けにくく、ＲＦＩＤタグ１０とリーダ４０との間で通信できる。なお、人体がない場合（５−３）には、乾燥状態（Ｍ）からあまり変化せず、通信可能である。
つまり、アウター４４を介する場合には中継アンテナ２０の中間部分に対応するインナーの箇所に水分が存在してもその影響は小さい。
【０１２７】
＜ＲＦＩＤタグの２つのアンテナ素子のそれぞれに対応する箇所の水分の影響について＞
図５７は、ＲＦＩＤタグ１０の２つのアンテナ素子のそれぞれに対応する箇所の水分の影響について説明するための周波数と伝送出力との関係の一例を示すグラフである。
図５７には、実施の形態１８に係るＲＦＩＤタグ付きおむつにおける乾燥状態（Ｍ）と、ＲＦＩＤタグ１０と中継アンテナ２０との容量結合の箇所に対応する箇所の吸水状態（１−１）と、参考例１に係るＲＦＩＤタグ付きおむつにおける人体のない場合であってＲＦＩＤタグ１０と中継アンテナ２０との容量結合の箇所に対応する箇所の吸水状態（１−２）と、参考例３に係るＲＦＩＤタグ付きおむつにおける中継アンテナ２０と容量結合しているＲＦＩＤタグ１０のアンテナ素子と反対側のアンテナ素子の側に水分５４が存在している場合（２）と、その人体のない場合（２−１）と、さらに、人体のない場合であって中継アンテナ２０と容量結合しているＲＦＩＤタグ１０のアンテナ素子と反対側のアンテナ素子の側及びＲＦＩＤタグ１０の２つのアンテナ素子の間のスリット部分に水分５４が存在している場合（２−２）と、人体のある場合であって中継アンテナ２０と容量結合しているＲＦＩＤタグ１０のアンテナ素子と反対側のアンテナ素子の側及びＲＦＩＤタグ１０の２つのアンテナ素子の間のスリット部分に水分５４が存在している場合（２−３）と、の周波数と伝送出力との関係を示している。
【０１２８】
図５７に示すように、水分の存在している箇所が中継アンテナ２０と容量結合しているＲＦＩＤタグ１０のアンテナ素子の側（１−１）であるか、反対側のアンテナ素子の側（２）であるかによって、通信不可能（１−１）であるか、通信可能（２）であるか、の結が変わることがわかる。
また、中継アンテナ２０と容量結合しているＲＦＩＤタグ１０のアンテナ素子と反対側のアンテナ素子の側に水分５４が存在していることに加えて、ＲＦＩＤタグ１０の２つのアンテナ素子の間のスリット部分にも水分５４が存在している場合（２−３）には、伝送出力が大きく低下することがわかる。
なお、人体がない場合（１−２、２−１、２−２）には、いずれの場合も通信可能となる。
以上のように、水分だけでなく人体の存在が水分検知のために重要であることがわかる。また、水分の存在箇所に応じて検知の可不可が変わることがわかる。
そこで、おむつ３０へのＲＦＩＤタグ１０の置き方を最適化することで、「おむつの特定の箇所に、水分が達したこと」を検知できる。
【０１２９】
なお、水分検出用ＲＦＩＤタグ付きおむつについて、水分検出用ＲＦＩＤタグは、ＲＦＩＤタグであってもよい。
【０１３０】
水分検出用ＲＦＩＤタグを使用する周波数帯としては、ＬＦ帯、ＨＦ帯、ＵＨＦ帯、ＳＨＦ帯等のいずれの帯域であってもよい。また、水分検出用ＲＦＩＤタグは、いわゆるタグ機能を有したものに限定されるわけではなく、リーダライタ機能を有したもの等、他の機能を持っていてもよい。
【０１３１】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【０１３２】
本発明に係る水分検出用ＲＦＩＤタグ付き衛生用品によれば、水分検出用ＲＦＩＤタグ１０と接続され、水分検出用ＲＦＩＤタグの出力を中継して通信可能範囲を拡張する中継アンテナを備えている。これによって、中継アンテナによって拡張された通信可能範囲で感度良く水分を検出できる。
【符号の説明】
【０１３３】
１  ＲＦＩＣ素子
２  吸水材
３  連接パターン
４ａ  第１接続パターン
４ｂ  第２接続パターン
５ａ、５ｂ  端部
６ａ、６ｂ  開放端
７  キャパシタ（容量）
８ａ、８ｂ  分岐箇所
９ａ、９ｂ  折り返し部分
１０、１０ａ、１０ｂ、１０ｃ、１０ｄ、１０ｅ、１０ｆ、１０ｇ、１０ｈ、１０ｉ、１０ｊ、１０ｋ、１０ｌ、１０ｍ、１０ｎ  水分検出用ＲＦＩＤタグ
１１  第１放射電極（アンテナ素子）
１２  第２放射電極（アンテナ素子）
１３  対向電極
１４  吸水材
１６  コンデンサ素子
１７  対向部
１８  容量結合
２０、２０ａ、２０ｂ、２０ｃ、２０ｄ、２０ｅ、２０ｆ、２０ｇ、２０ｈ、２０ｉ、２０ｊ、２０ｋ、２０ｌ、２０ｍ、２０ｎ、２０ｏ  中継アンテナ（中継アンテナユニット）
２１  ＲＦＩＣチップ
２２  導電性接合材
２３  端子電極
２４  封止樹脂
２５  多層基板
２６ａ  第１入出力端子（端子電極）
２６ｂ  第２入出力端子（端子電極）
２８ａ、２８ｂ、２８ｃ  導電体
２９ａ、２９ｂ  スペーサ
３０、３０ａ、３０ｂ  おむつ（水分検出用ＲＦＩＤタグ付きおむつ）
３０ｃ  水分検出用ＲＦＩＤタグ付きおむつ中継システム
３２  防水材
３４、３４ａ、３４ｂ  吸水材
３６  ギャザー
３７  中継アンテナユニット
３７ａ、３７ｂ、３７ｃ  水分検出用ＲＦＩＤタグユニット
３８  支持体
３９  ガイド線
４０  リーダ／ライタ
４１  中継アンテナ終端部
４２  インナー（おむつ）
４３  境界線
４４  アウター（おむつ）
４４ａ  布製アウター（おむつ）
４５  吸収上限位置
４６  ＲＦＩＤリーダ及び無線伝達ユニット
４７  境界線
５０  おむつ
５２  位置マーク
６０  人体
７０  ベッド
【図１】
2017094794.tif 000003
【図２】
2017094794.tif 000004
【図３】
2017094794.tif 000005
【図４】
2017094794.tif 000006
【図５】
2017094794.tif 000007
【図６】
2017094794.tif 000008
【図７】
2017094794.tif 000009
【図８】
2017094794.tif 000010
【図９】
2017094794.tif 000011
【図１０】
2017094794.tif 000012
【図１１】
2017094794.tif 000013
【図１２】
2017094794.tif 000014
【図１３】
2017094794.tif 000015
【図１４】
2017094794.tif 000016
【図１５】
2017094794.tif 000017
【図１６】
2017094794.tif 000018
【図１７】
2017094794.tif 000019
【図１８】
2017094794.tif 000020
【図１９】
2017094794.tif 000021
【図２０】
2017094794.tif 000022
【図２１】
2017094794.tif 000023
【図２２】
2017094794.tif 000024
【図２３】
2017094794.tif 000025
【図２４】
2017094794.tif 000026
【図２５】
2017094794.tif 000027
【図２６】
2017094794.tif 000028
【図２７】
2017094794.tif 000029
【図２８】
2017094794.tif 000030
【図２９】
2017094794.tif 000031
【図３０】
2017094794.tif 000032
【図３１】
2017094794.tif 000033
【図３２】
2017094794.tif 000034
【図３３】
2017094794.tif 000035
【図３４】
2017094794.tif 000036
【図３５】
2017094794.tif 000037
【図３６】
2017094794.tif 000038
【図３７】
2017094794.tif 000039
【図３８】
2017094794.tif 000040
【図３９】
2017094794.tif 000041
【図４０】
2017094794.tif 000042
【図４１】
2017094794.tif 000043
【図４２】
2017094794.tif 000044
【図４３】
2017094794.tif 000045
【図４４】
2017094794.tif 000046
【図４５】
2017094794.tif 000047
【図４６】
2017094794.tif 000048
【図４７】
2017094794.tif 000049
【図４８】
2017094794.tif 000050
【図４９】
2017094794.tif 000051
【図５０】
2017094794.tif 000052
【図５１】
2017094794.tif 000053
【図５２】
2017094794.tif 000054
【図５３】
2017094794.tif 000055
【図５４】
2017094794.tif 000056
【図５５】
2017094794.tif 000057
【図５６】
2017094794.tif 000058
【図５７】
2017094794.tif 000059
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
吸水材を有し、前面部、股下部および背面部を備えたおむつであって、
前記股下部または前記背面部の前記吸水材に隣接して設けられ、ＲＦＩＣ素子と前記ＲＦＩＣ素子に接続されたアンテナ素子とを含み、前記吸水材に含まれる水分量の変化に起因する通信距離または信号強度の変化を出力するように構成された水分検出用ＲＦＩＤタグと、
前記股下部または前記背面部にて前記水分検出用ＲＦＩＤタグと接続されるとともに前記前面部まで延設された中継アンテナと、
を備える、おむつ。
【請求項２】
前記中継アンテナは、前記水分検出用ＲＦＩＤタグの前記アンテナ素子と容量を介して接続されている、請求項１に記載のおむつ。
【請求項３】
前記吸水材を有するインナーと、前記インナーを覆うアウターと、を含む、請求項１に記載のおむつ。
【請求項４】
前記アウターは、パンツ型形状を有するパンツ型アウターである、請求項３に記載のおむつ。
【請求項５】
前記水分検出用ＲＦＩＤタグは、前記アウターの内側に配置され、前記中継アンテナは、前記水分検出用ＲＦＩＤタグのアンテナ素子と前記アウターを挟んで対向する前記アウターの外側に配置され、前記水分検出用ＲＦＩＤタグの前記アンテナ素子と容量を介して接続されている、請求項３又は４に記載のおむつ。
【請求項６】
前記水分検出用ＲＦＩＤタグと、前記水分検出用ＲＦＩＤタグと接続された前記中継アンテナと、を複数組有する、請求項１から５のいずれか一項に記載のおむつ。
【請求項７】
前記水分検出用ＲＦＩＤタグは、前記おむつの股下部に配置されている、請求項６に記載のおむつ。
【請求項８】
前記水分検出用ＲＦＩＤタグは、前記おむつの背面部に配置されていると共に、前記中継アンテナは、前記おむつの前記背面部から前記股下部を介して前記前面部まで延在している、請求項７に記載のおむつ。
【請求項９】
前記アンテナ素子はダイポール型アンテナである、請求項１から８のいずれかに記載のおむつ。
【請求項１０】
前記ダイポール型アンテナは２つの放射電極を備え、前記放射電極のいずれか一方のみを介して、前記中継アンテナに接続されている、請求項９に記載のおむつ。
【請求項１１】
前記ダイポール型アンテナは２つの放射電極を備え、前記２つの放射電極の延在方向は前記前面部、前記股下部および前記背面部を結ぶ方向と交差する方向である、請求項９に記載のおむつ。
【国際調査報告】
2017094794.tif 000060
2017094794.tif 000061
2017094794.tif 000062
2017094794.tif 000063